(57)【要約】      （修正有）【課題】１つ以上のローカルサービスへのアクセスを容易にするために、ローカルＩＰアクセスをワイヤレスネットワーク中で提供する。【解決手段】異なるＩＰインターフェースが、異なるサービス（例えば、ローカルサービスおよびオペレータネットワークサービス）にアクセスするために使用される。パケットの宛先をＩＰインターフェースにマッピングするリストを用いて、所定のパケットを送るのにどのＩＰインターフェースを使用すべきであるかを決定してもよい。アクセスポイントは、アクセス端末に対してプロキシ機能（例えば、プロキシＡＲＰ機能）を提供する。アクセスポイントは、アクセス端末に対してエージェント機能（例えば、ＤＨＣＰ機能）を提供する。ＮＡＴ動作をアクセスポイントにおいて実行して、アクセス端末がローカルサービスにアクセスすることを可能にしてもよい。【選択図】図１
2014014116.tif 000002
【特許請求の範囲】
【請求項１】
通信の方法において、
アクセス端末において、パケットの宛先と、パケットの宛先をインターネットプロトコルインターフェースにマッピングするリストとに基づいて、前記パケットを送るためのインターネットプロトコルインターフェースを選択することと、
前記選択されたインターネットプロトコルインターフェースにより、前記アクセス端末から前記宛先に前記パケットを送ることとを含み、
前記リスト中の第１のインターネットプロトコルインターフェースは、オペレータネットワークにおいて終端される第１のストリームに関係付けられており、前記リスト中の第２のインターネットプロトコルインターフェースは、前記アクセス端末に対する担当アクセスポイントにおいて終端される第２のストリームに関係付けられている方法。
【請求項２】
前記リスト中のパケットの宛先のうちの第１のパケットの宛先は、前記オペレータネットワークを通る第１のパスによりアクセス可能なネットワークノードを識別し、
前記リストは、前記ネットワークノードに関係付けられているアドレスを、前記第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記ローカルノードに関係付けられているアドレスを、前記第２のＩＰインターフェースにさらにマッピングする請求項１記載の方法。
【請求項３】
前記担当アクセスポイントは、ローカルルータに関係付けられているローカルネットワーク上にあり、前記ローカルノードは、前記ローカルネットワーク上にある請求項２記載の方法。
【請求項４】
前記担当アクセスポイントは、ローカルルータに関係付けられているローカルネットワーク上にあり、前記ローカルノードは、前記ローカルルータのインターネット接続によりアクセス可能である請求項２記載の方法。
【請求項５】
前記担当アクセスポイントから、前記リストと、前記アクセス端末に対する、ローカルネットワーク上のアドレスとを受信することをさらに含む請求項２記載の方法。
【請求項６】
前記リストにおいて、
前記パケットの宛先は、サブネットワークアドレスにより示されており、
前記インターネットプロトコルインターフェースは、インターネットプロトコルアドレスにより示されている請求項１記載の方法。
【請求項７】
通信のための装置において、
アクセス端末において、パケットの宛先と、パケットの宛先をインターネットプロトコルインターフェースにマッピングするリストとに基づいて、前記パケットを送るためのインターネットプロトコルインターフェースを選択するように構成されているインターネットプロトコルインターフェース選択器と、
前記選択されたインターネットプロトコルインターフェースにより、前記アクセス端末から前記宛先に前記パケットを送るように構成されているパケットプロセッサとを具備し、
前記リスト中の第１のインターネットプロトコルインターフェースは、オペレータネットワークにおいて終端される第１のストリームに関係付けられており、前記リスト中の第２のインターネットプロトコルインターフェースは、前記アクセス端末に対する担当アクセスポイントにおいて終端される第２のストリームに関係付けられている装置。
【請求項８】
前記リスト中のパケットの宛先のうちの第１のパケットの宛先は、前記オペレータネットワークを通る第１のパスによりアクセス可能なネットワークノードを識別し、
前記リストは、前記ネットワークノードに関係付けられているアドレスを、前記第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記ローカルノードに関係付けられているアドレスを、前記第２のＩＰインターフェースにさらにマッピングする請求項７記載の装置。
【請求項９】
前記担当アクセスポイントは、ローカルルータに関係付けられているローカルネットワーク上にあり、前記ローカルノードは、前記ローカルネットワーク上にある請求項８記載の装置。
【請求項１０】
前記担当アクセスポイントは、ローカルルータに関係付けられているローカルネットワーク上にあり、前記ローカルノードは、前記ローカルルータのインターネット接続によりアクセス可能である請求項８記載の装置。
【請求項１１】
前記リストにおいて、
前記パケットの宛先は、サブネットワークアドレスにより示されており、
前記インターネットプロトコルインターフェースは、インターネットプロトコルアドレスにより示されている請求項７記載の装置。
【請求項１２】
通信のための装置において、
アクセス端末において、パケットの宛先と、パケットの宛先をインターネットプロトコルインターフェースにマッピングするリストとに基づいて、前記パケットを送るためのインターネットプロトコルインターフェースを選択する手段と、
前記選択されたインターネットプロトコルインターフェースにより、前記アクセス端末から前記宛先に前記パケットを送る手段とを具備し、
前記リスト中の第１のインターネットプロトコルインターフェースは、オペレータネットワークにおいて終端される第１のストリームに関係付けられており、前記リスト中の第２のインターネットプロトコルインターフェースは、前記アクセス端末に対する担当アクセスポイントにおいて終端される第２のストリームに関係付けられている装置。
【請求項１３】
前記リスト中のパケットの宛先のうちの第１のパケットの宛先は、前記オペレータネットワークを通る第１のパスによりアクセス可能なネットワークノードを識別し、
前記リストは、前記ネットワークノードに関係付けられているアドレスを、前記第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記ローカルノードに関係付けられているアドレスを、前記第２のＩＰインターフェースにさらにマッピングする請求項１２記載の装置。
【請求項１４】
前記担当アクセスポイントは、ローカルルータに関係付けられているローカルネットワーク上にあり、前記ローカルノードは、前記ローカルネットワーク上にある請求項１３記載の装置。
【請求項１５】
前記担当アクセスポイントは、ローカルルータに関係付けられているローカルネットワーク上にあり、前記ローカルノードは、前記ローカルルータのインターネット接続によりアクセス可能である請求項１３記載の装置。
【請求項１６】
前記リストにおいて、
前記パケットの宛先は、サブネットワークアドレスにより示されており、
前記インターネットプロトコルインターフェースは、インターネットプロトコルアドレスにより示されている請求項１２記載の装置。
【請求項１７】
コンピュータプログラムプロダクトにおいて、
アクセス端末において、パケットの宛先と、パケットの宛先をインターネットプロトコルインターフェースにマッピングするリストとに基づいて、前記パケットを送るためのインターネットプロトコルインターフェースを選択することと、
前記選択されたインターネットプロトコルインターフェースにより、前記アクセス端末から前記宛先に前記パケットを送ることと、
をコンピュータに生じさせるためのコードを備えるコンピュータ読み取り可能媒体を具備し、
前記リスト中の第１のインターネットプロトコルインターフェースは、オペレータネットワークにおいて終端される第１のストリームに関係付けられており、前記リスト中の第２のインターネットプロトコルインターフェースは、前記アクセス端末に対する担当アクセスポイントにおいて終端される第２のストリームに関係付けられているコンピュータプログラムプロダクト。
【請求項１８】
前記リスト中のパケットの宛先のうちの第１のパケットの宛先は、前記オペレータネットワークを通る第１のパスによりアクセス可能なネットワークノードを識別し、
前記リストは、前記ネットワークノードに関係付けられているアドレスを、前記第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記ローカルノードに関係付けられているアドレスを、前記第２のＩＰインターフェースにさらにマッピングする請求項１７記載のコンピュータプログラムプロダクト。
【請求項１９】
通信の方法において、
アクセスポイントにおいて、パケットの宛先をインターネットプロトコルインターフェースにマッピングするリストを提供することと、
前記アクセスポイントからアクセス端末に前記リストを送ることとを含む方法。
【請求項２０】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを第２のＩＰインターフェースにさらにマッピングする請求項１９記載の方法。
【請求項２１】
前記アクセス端末からパケットを受信することと、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定することとをさらに含む請求項２０記載の方法。
【請求項２２】
前記第１のインターネットプロトコルインターフェースに関係付けられている第１のパケットを前記アクセスポイントから受信することと、
前記オペレータネットワークにより、前記第１のパケットを前記ネットワークノードに送ることと、
前記第２のインターネットプロトコルインターフェースに関係付けられている第２のパケットを前記アクセスポイントから受信することと、
前記第２のパケットを、前記オペレータネットワークを通して送らずに、前記第２のパケットを前記ローカルノードに送ることとをさらに含む請求項２０記載の方法。
【請求項２３】
前記第１のパケットは、前記オペレータネットワークにおいて終端される第１のストリームにより受信され、
前記第２のパケットは、前記アクセスポイントにおいて終端される第２のストリームにより受信される請求項２２記載の方法。
【請求項２４】
前記アクセスポイントは、ローカルルータに関係付けられているローカルネットワーク上にあり、前記ローカルノードは、前記ローカルネットワーク上にある請求項２０記載の方法。
【請求項２５】
前記第２のインターネットプロトコルインターフェースに関係付けられているパケットを前記アクセスポイントから受信することと、
前記受信したパケットの宛先アドレスに基づいて、前記受信したパケットを前記ローカルノードに送るかどうかを決定することとをさらに含む請求項２４記載の方法。
【請求項２６】
前記アクセスポイントは、ローカルルータに関係付けられているローカルネットワーク上にあり、前記ローカルノードは、前記ローカルルータのインターネット接続によりアクセス可能である請求項２０記載の方法。
【請求項２７】
前記第２のインターネットプロトコルインターフェースに関係付けられているパケットを前記アクセスポイントから受信することと、
前記受信したパケットの宛先アドレスに基づいて、前記受信したパケットを前記ローカルノードに送るかどうかを決定することとをさらに含む請求項２６記載の方法。
【請求項２８】
前記リストにおいて、
前記パケットの宛先は、サブネットワークアドレスにより示されており、
前記インターネットプロトコルインターフェースは、インターネットプロトコルアドレスにより示されている請求項１９記載の方法。
【請求項２９】
前記アクセスポイントは、ローカルルータに関係付けられているローカルネットワーク上にあり、前記方法は、
前記アクセス端末に対する、前記ローカルネットワーク上のアドレスを、前記ローカルルータから取得することと、
前記アドレスを前記アクセス端末に送ることとをさらに含む請求項１９記載の方法。
【請求項３０】
前記アクセスポイントは、フェムトノードである請求項１９記載の方法。
【請求項３１】
通信のための装置において、
アクセスポイントにおいて、パケットの宛先をインターネットプロトコルインターフェースにマッピングするリストを提供するように構成されているリストプロバイダと、
前記アクセスポイントからアクセス端末に前記リストを送るように構成されている送信機とを具備する装置。
【請求項３２】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項３１記載の装置。
【請求項３３】
前記アクセス端末からパケットを受信し、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定するように構成されているパケットプロセッサをさらに具備する請求項３２記載の装置。
【請求項３４】
前記第１のインターネットプロトコルインターフェースに関係付けられている第１のパケットを前記アクセスポイントから受信し、
前記オペレータネットワークにより、前記第１のパケットを前記ネットワークノードに送り、
前記第２のインターネットプロトコルインターフェースに関係付けられている第２のパケットを前記アクセスポイントから受信し、
前記第２のパケットを、前記オペレータネットワークを通して送らずに、前記第２のパケットを前記ローカルノードに送るように構成されているパケットプロセッサをさらに具備する請求項３２記載の装置。
【請求項３５】
前記第１のパケットは、前記オペレータネットワークにおいて終端される第１のストリームにより受信され、
前記第２のパケットは、前記アクセスポイントにおいて終端される第２のストリームにより受信される請求項３４記載の方法。
【請求項３６】
前記アクセスポイントは、ローカルルータに関係付けられているローカルネットワーク上にあり、前記ローカルノードは、前記ローカルネットワーク上にある請求項３２記載の装置。
【請求項３７】
前記アクセスポイントは、ローカルルータに関係付けられているローカルネットワーク上にあり、前記ローカルノードは、前記ローカルルータのインターネット接続によりアクセス可能である請求項３２記載の装置。
【請求項３８】
通信のための装置において、
アクセスポイントにおいて、パケットの宛先をインターネットプロトコルインターフェースにマッピングするリストを提供する手段と、
前記アクセスポイントからアクセス端末に前記リストを送る手段とを具備する装置。
【請求項３９】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項３８記載の装置。
【請求項４０】
前記アクセス端末からパケットを受信し、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定する、パケット処理手段をさらに具備する請求項３９記載の装置。
【請求項４１】
前記第１のインターネットプロトコルインターフェースに関係付けられている第１のパケットを前記アクセスポイントから受信し、
前記オペレータネットワークにより、前記第１のパケットを前記ネットワークノードに送り、
前記第２のインターネットプロトコルインターフェースに関係付けられている第２のパケットを前記アクセスポイントから受信し、
前記第２のパケットを、前記オペレータネットワークを通して送らずに、前記第２のパケットを前記ローカルノードに送る、パケット処理手段をさらに具備する請求項３９記載の装置。
【請求項４２】
前記第１のパケットは、前記オペレータネットワークにおいて終端される第１のストリームにより受信され、
前記第２のパケットは、前記アクセスポイントにおいて終端される第２のストリームにより受信される請求項４１記載の装置。
【請求項４３】
前記アクセスポイントは、ローカルルータに関係付けられているローカルネットワーク上にあり、前記ローカルノードは、前記ローカルネットワーク上にある請求項３９記載の装置。
【請求項４４】
前記アクセスポイントは、ローカルルータに関係付けられているローカルネットワーク上にあり、前記ローカルノードは、前記ローカルルータのインターネット接続によりアクセス可能である請求項３９記載の装置。
【請求項４５】
コンピュータプログラムプロダクトにおいて、
アクセスポイントにおいて、パケットの宛先をインターネットプロトコルインターフェースにマッピングするリストを提供することと、
前記アクセスポイントからアクセス端末に前記リストを送ることと、
をコンピュータに生じさせるためのコードを備えるコンピュータ読み取り可能媒体を具備するコンピュータプログラムプロダクト。
【請求項４６】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項４５記載のコンピュータプログラムプロダクト。
【請求項４７】
通信の方法において、
アクセスポイントにおいて、第１のパケットと、第２のパケットとを、アクセス端末から受信し、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられていることと、
前記ローカルネットワークインターネットプロトコルアドレスに向けられたパケットを遮断することと、
前記アクセス端末に代わって、前記遮断したパケットを処理することとを含む方法。
【請求項４８】
前記処理は、前記遮断したパケットを前記アクセス端末にルーティングすることを含む請求項４７記載の方法。
【請求項４９】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項４７記載の方法。
【請求項５０】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項４７記載の方法。
【請求項５１】
前記第２のパケットは、前記ローカルネットワーク上のノードに宛てられる請求項５０記載の方法。
【請求項５２】
前記第２のパケットは、前記ローカルネットワークに対するローカルルータのインターネット接続によりアクセス可能であるノードに宛てられる請求項５０記載の方法。
【請求項５３】
前記第１のパケットは、前記オペレータネットワークにおいて終端される第１のストリームにより送られ、
前記第２のパケットは、前記アクセスポイントにおいて終端される第２のストリームにより送られる請求項４７記載の方法。
【請求項５４】
前記アクセス端末に対するローカルネットワークインターネットプロトコルアドレスを取得する要求をローカルルータに送ることと、
前記ローカルネットワークインターネットプロトコルアドレスを前記アクセス端末に送ることとをさらに含む請求項４７記載の方法。
【請求項５５】
前記アクセスポイントは、フェムトノードである請求項４７記載の方法。
【請求項５６】
通信のための装置において、
アクセスポイントにおいて、第１のパケットと、第２のパケットとを、アクセス端末から受信するように構成されているパケットプロセッサであって、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられているパケットプロセッサと、
前記ローカルネットワークインターネットプロトコルアドレスに向けられたパケットを遮断するように構成され、前記アクセス端末に代わって、前記遮断したパケットを処理するようにさらに構成されているローカルパケットプロキシとを具備する装置。
【請求項５７】
前記処理は、前記遮断したパケットを前記アクセス端末にルーティングすることを含む請求項５６記載の装置。
【請求項５８】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項５６記載の装置。
【請求項５９】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項５６記載の装置。
【請求項６０】
前記第２のパケットは、前記ローカルネットワーク上のノードに宛てられる請求項５９記載の装置。
【請求項６１】
前記第２のパケットは、前記ローカルネットワークに対するローカルルータのインターネット接続によりアクセス可能であるノードに宛てられる請求項５９記載の装置。
【請求項６２】
前記第１のパケットは、前記オペレータネットワークにおいて終端される第１のストリームにより送られ、
前記第２のパケットは、前記アクセスポイントにおいて終端される第２のストリームにより送られる請求項５６記載の装置。
【請求項６３】
通信のための装置において、
アクセスポイントにおいて、第１のパケットと、第２のパケットとを、アクセス端末から受信する手段であって、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられている手段と、
前記ローカルネットワークインターネットプロトコルアドレスに向けられたパケットを遮断し、前記アクセス端末に代わって、前記遮断したパケットを処理する、ローカルパケットプロキシ手段とを具備する装置。
【請求項６４】
前記処理は、前記遮断したパケットを前記アクセス端末にルーティングすることを含む請求項６３記載の装置。
【請求項６５】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項６３記載の装置。
【請求項６６】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項６３記載の装置。
【請求項６７】
前記第２のパケットは、前記ローカルネットワーク上のノードに宛てられる請求項６６記載の装置。
【請求項６８】
前記第２のパケットは、前記ローカルネットワークに対するローカルルータのインターネット接続によりアクセス可能であるノードに宛てられる請求項６６記載の装置。
【請求項６９】
前記第１のパケットは、前記オペレータネットワークにおいて終端される第１のストリームにより送られ、
前記第２のパケットは、前記アクセスポイントにおいて終端される第２のストリームにより送られる請求項６３記載の装置。
【請求項７０】
コンピュータプログラムプロダクトにおいて、
アクセスポイントにおいて、第１のパケットと、第２のパケットとを、アクセス端末から受信し、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられていることと、
前記ローカルネットワークインターネットプロトコルアドレスに向けられたパケットを遮断することと、
前記アクセス端末に代わって、前記遮断したパケットを処理することと、
をコンピュータに生じさせるためのコードを備えるコンピュータ読み取り可能媒体を具備するコンピュータプログラムプロダクト。
【請求項７１】
前記処理は、前記遮断したパケットを前記アクセス端末にルーティングすることを含む請求項７０記載のコンピュータプログラムプロダクト。
【請求項７２】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項７０記載のコンピュータプログラムプロダクト。
【請求項７３】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項７０記載のコンピュータプログラムプロダクト。
【請求項７４】
通信の方法において、
アクセスポイントにおいて、アクセス端末からパケットを受信することと、
前記パケットの宛先に基づいて、前記アクセスポイントにおいて、前記パケットに対してネットワークアドレス変換を実行するかどうかを決定することとを含む方法。
【請求項７５】
前記決定は、前記パケットの宛先アドレスと、オペレータネットワークに関係付けられているポリシーとを決定することを含む請求項７４記載の方法。
【請求項７６】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項７４記載の方法。
【請求項７７】
前記ネットワークアドレス変換は、オペレータネットワークに対して、前記アクセス端末に割り当てられているネットワークインターネットプロトコル発信元アドレスを、前記ローカルネットワークに対して、前記アクセス端末割り当てられているローカルインターネットプロトコル発信元アドレスに置き換えることを含む請求項７６記載の方法。
【請求項７８】
前記アクセスポイントは、
前記ローカルネットワークに関係付けられているローカルルータから、前記ローカルインターネットプロトコル発信元アドレスを要求し、
前記アクセスポイントの媒体アクセス制御アドレスを含むメッセージにより、前記ローカルインターネットプロトコル発信元アドレスに向けられたアドレス解決プロトコルメッセージに応答する請求項７７記載の方法。
【請求項７９】
前記ローカルインターネットプロトコル発信元アドレスは、前記アクセスポイントのインターネットプロトコルアドレスと、前記アクセスポイントにより前記アクセス端末に割り当てられているポートとを含む請求項７７記載の方法。
【請求項８０】
前記パケットはプロトコルトンネルによりオペレータネットワークに送るべきでないことを前記アクセスポイントが決定した場合に、前記アクセスポイントは、前記ネットワークアドレス変換を実行する請求項７４記載の方法。
【請求項８１】
前記アクセスポイントは、ローカルネットワーク上にあり、
前記アクセスポイントは、前記宛先が前記ローカルネットワーク上にある場合に、前記ネットワークアドレス変換を実行する請求項７４記載の方法。
【請求項８２】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項７４記載の方法。
【請求項８３】
前記アクセスポイントは、フェムトノードである請求項７４記載の方法。
【請求項８４】
通信のための装置において、
アクセスポイントにおいて、アクセス端末からパケットを受信するように構成されているパケットプロセッサと、
前記パケットの宛先に基づいて、前記アクセスポイントにおいて、前記パケットに対してネットワークアドレス変換を実行するかどうかを決定するように構成されているネットワークアドレス変換制御装置とを具備する装置。
【請求項８５】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項８４記載の装置。
【請求項８６】
前記ネットワークアドレス変換は、オペレータネットワークに対して、前記アクセス端末に割り当てられているネットワークインターネットプロトコル発信元アドレスを、前記ローカルネットワークに対して、前記アクセス端末割り当てられているローカルインターネットプロトコル発信元アドレスに置き換えることを含む請求項８５記載の装置。
【請求項８７】
前記パケットはプロトコルトンネルによりオペレータネットワークに送るべきでないことを前記アクセスポイントが決定した場合に、前記アクセスポイントは、前記ネットワークアドレス変換を実行する請求項８４記載の装置。
【請求項８８】
前記アクセスポイントは、ローカルネットワーク上にあり、
前記アクセスポイントは、前記宛先が前記ローカルネットワーク上にある場合に、前記ネットワークアドレス変換を実行する請求項８４記載の方法。
【請求項８９】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項８４記載の装置。
【請求項９０】
通信のための装置において、
アクセスポイントにおいて、アクセス端末からパケットを受信する手段と、
前記パケットの宛先に基づいて、前記アクセスポイントにおいて、前記パケットに対してネットワークアドレス変換を実行するかどうかを決定する手段とを具備する装置。
【請求項９１】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項９０記載の装置。
【請求項９２】
前記ネットワークアドレス変換は、オペレータネットワークに対して、前記アクセス端末に割り当てられているネットワークインターネットプロトコル発信元アドレスを、前記ローカルネットワークに対して、前記アクセス端末割り当てられているローカルインターネットプロトコル発信元アドレスに置き換えることを含む請求項９１記載の装置。
【請求項９３】
前記パケットはプロトコルトンネルによりオペレータネットワークに送るべきでないことを前記アクセスポイントが決定した場合に、前記アクセスポイントは、前記ネットワークアドレス変換を実行する請求項９０記載の装置。
【請求項９４】
前記アクセスポイントは、ローカルネットワーク上にあり、
前記アクセスポイントは、前記宛先が前記ローカルネットワーク上にある場合に、前記ネットワークアドレス変換を実行する請求項９０記載の装置。
【請求項９５】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項９０記載の装置。
【請求項９６】
コンピュータプログラムプロダクトにおいて、
アクセスポイントにおいて、アクセス端末からパケットを受信することと、
前記パケットの宛先に基づいて、前記アクセスポイントにおいて、前記パケットに対してネットワークアドレス変換を実行するかどうかを決定することと、
をコンピュータに生じさせるためのコードを備えるコンピュータ読み取り可能媒体を具備するコンピュータプログラムプロダクト。
【請求項９７】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項９６記載のコンピュータプログラムプロダクト。
【請求項９８】
前記ネットワークアドレス変換は、オペレータネットワークに対して、前記アクセス端末に割り当てられているネットワークインターネットプロトコル発信元アドレスを、前記ローカルネットワークに対して、前記アクセス端末割り当てられているローカルインターネットプロトコル発信元アドレスに置き換えることを含む請求項９６記載のコンピュータプログラムプロダクト。
【発明の詳細な説明】
【優先権の主張】
【０００１】
本出願は、２００８年４月２４日に出願され、代理人ドケット第０８１４３５Ｐ１号が割り当てられ、その開示が参照によりここに組み込まれている、共同所有された米国仮特許出願第６１／０４７，７００号の利益と、それに対する優先権を主張する。
【分野】
【０００２】
本出願は一般に、ワイヤレス通信に関し、より詳細には、排他的ではないが、ローカルアクセスを可能にすることに関する。
【導入】
【０００３】
ワイヤレス通信システムは、複数のユーザに対して、さまざまなタイプの通信（例えば、音声、データ、マルチメディアサービスなど）を提供するために広く展開されている。高レートおよびマルチメディアデータのサービスに対する需要が急速に拡大するにつれて、向上した性能により、効率的で、ロバストな通信システムを実現する課題が存在する。
【０００４】
従来の移動電話機ネットワーク基地局を補うために、小さいカバレッジの基地局が、よりロバストな屋内のワイヤレスカバレッジを移動ユニットに提供するように配備される（例えば、ユーザの自宅にインストールされる）かもしれない。そのような小さいカバレッジの基地局は一般に、アクセスポイント基地局、ホームノードＢ、フェムトアクセスポイント、またはフェムトセルとして知られている。通常、そのような小さいカバレッジの基地局は、ＤＳＬルータまたはケーブルモデムによって、インターネットおよび移動オペレータネットワークに接続される。
【０００５】
いくつかのケースにおいて、１つ以上のローカルサービスが、小さいカバレッジの基地局と同じ場所で展開されるかもしれない。例えば、ユーザは、ローカルコンピュータ、ローカルプリンタ、サーバおよび他のコンポーネントをサポートするホームネットワークを有していてもよい。そのようなケースにおいて、小さいカバレッジの基地局によって、これらのローカルサービスへのアクセスを提供することが望まれるかもしれない。例えば、ユーザが自宅にいるとき、ユーザは、彼の、または彼女のセル電話機を使用してローカルプリンタにアクセスすることを望むかもしれない。したがって、ローカルサービスにアクセスするための、効率的で効果的な方法に対する必要性が存在する。
【概要】
【０００６】
本開示の例示的な観点の概要を以下で述べる。ここでの用語、観点に対するいかなる参照も、本開示の１つ以上の観点を参照してもよいことを理解すべきである。
【０００７】
いくつかの観点において、本開示は、ローカルサービスおよびオペレータネットワークサービスへのアクセスを容易にすることに関する。例えば、アクセス端末が所定のアクセスポイントにより担当されるとき、（ローカルブレイクアウトとしても知られている）ローカルＩＰアクセスを使用して、アクセス端末が１つ以上のローカルサービスにアクセスすることを可能にしてもよい。さらに、このアクセスポイントにおいて、オペレータネットワークへのアクセスをアクセス端末に提供してもよい。
【０００８】
いくつかの観点において、本開示は、異なるサービスに対して、異なるインターネットプロトコル（“ＩＰ”）インターフェースを使用することに関する。例えば、アクセス端末は、１つのＩＰインターフェースを使用して、ローカルサービスにアクセスしてもよく、別のＩＰインターフェースを使用して、オペレータネットワークサービスにアクセスしてもよい。
【０００９】
いくつかの観点において、本開示は、パケットの宛先をＩＰインターフェースにマッピングするリストを提供することに関する。アクセス端末はリストを使用して、所定のパケットを送るのにどのＩＰインターフェースを使用すべきであるかを決定してもよい。いくつかの観点において、そのようなリストは、アクセス端末に対する担当アクセスポイントにより提供されてもよい。
【００１０】
いくつかの観点において、本開示は、アクセス端末に対するプロキシとして動作するアクセスポイントに関する。例えば、アクセスポイントは、アクセス端末に割り当てられているローカルＩＰアドレスに対して送られたパケットを遮断してもよい。いくつかのケースにおいて、アクセスポイントは、遮断したパケットをアクセス端末にルーティングしてもよい。いくつかのケースにおいて、アクセスポイントは、アクセス端末に代わって、プロキシアドレス解決プロトコル（“ＡＲＰ”）機能を実行する。例えば、アクセスポイントは、アクセス端末に割り当てられているローカルネットワークＩＰアドレスに向けられたＡＲＰメッセージを遮断して、アクセスポイントのＭＡＣアドレスによりメッセージに応答してもよい。
【００１１】
いくつかの観点において、本開示は、ローカルＩＰアドレスを取得して、ローカルＩＰアドレスをアクセス端末に割り当てるエージェント機能を提供するアクセスポイントに関する。例えば、アクセスポイントは、アクセス端末がローカルサービスにアクセスすることを可能にするために、アクセス端末に対するローカルネットワークＩＰアドレスを獲得してもよい。いくつかの構成において、このエージェント機能は、ダイナミックホスト制御プロトコル（“ＤＨＣＰ”）機能を備えていてもよい。
【００１２】
いくつかの観点において、本開示は、アクセスポイントにおいてネットワークアドレス変換（“ＮＡＴ”）を実行することに関する。例えば、アクセスポイントは、アクセス端末により送られたパケットに対するオペレータネットワーク（例えば、パブリック）発信元ＩＰアドレスを、ローカル（例えば、プライベート）発信元ＩＰアドレスに変換して、アクセス端末がローカルサービスにアクセスすることを可能にしてもよい。
【００１３】
いくつかの観点において、本開示は、パケットの宛先に基づいて、プロトコルトンネルによりアクセス端末からのパケットを送るかどうかを決定するアクセスポイントに関する。例えば、アクセスポイントは、プロトコルトンネルにより、オペレータネットワークによってアクセス可能なノードに宛てられたパケットを送ってもよく、他のパケットを（例えば、ローカルネットワークにより）ローカルノードに送ってもよい。ローカルノードに送られるパケットに対して、いくつかの構成において、アクセスポイントは、プロキシ機能を提供してもよく、それによって、アクセスポイントは、アクセス端末に代わって取得したローカルＩＰアドレスを、パケット発信元アドレスの代わりに使用する。いくつかの構成において、アクセスポイントは、逆ＮＡＴ機能を提供してもよく、それによって、アクセスポイントは、パケット発信元アドレスに代わって、そのローカルＩＰアドレスと、割り当てられているポート番号とを使用する。
【図面の簡単な説明】
【００１４】
本開示の、これらの、および他の例示的な観点を、詳細な説明およびそれに続く特許請求の範囲中で、ならびに、添付図面中で説明するだろう。
【図１】図１は、ローカルＩＰアクセスをサポートするように構成されている通信システムのいくつかの例示的な観点の簡略ブロック図である。
【図２】図２は、複数のＩＰインターフェースを使用して、ローカルＩＰアクセスをサポートするように構成されている通信システムのいくつかの例示的な観点の簡略ブロック図である。
【図３】図３は、複数のＩＰインターフェースが用いられるときに、ローカルＩＰアクセスをセットアップするために実行してもよい動作のいくつかの例示的な観点のフローチャートである。
【図４Ａ】図４Ａは、複数のＩＰインターフェースが用いられるときに、パケットを送るアクセス端末とともに実行してもよい動作のいくつかの例示的な観点のフローチャートである。
【図４Ｂ】図４Ｂは、複数のＩＰインターフェースが用いられるときに、パケットを送るアクセス端末とともに実行してもよい動作のいくつかの例示的な観点のフローチャートである。
【図５】図５は、ローカルノードによりアクセス端末に送られたパケットを取り扱うプロキシ機能とともに実行してもよい動作のいくつかの例示的な観点のフローチャートである。
【図６】図６は、アクセスポイント中のＮＡＴ機能を使用して、ローカルＩＰアクセスをサポートするように構成されている通信システムのいくつかの例示的な観点の簡略ブロック図である。
【図７】図７は、ＮＡＴ機能がアクセスポイント中で提供されるときに、ローカルＩＰアクセスをセットアップするために実行してもよい動作のいくつかの例示的な観点のフローチャートである。
【図８Ａ】図８Ａは、ＮＡＴ機能がアクセスポイント中で提供されるときに、パケットを送るアクセス端末とともに実行してもよい動作のいくつかの例示的な観点のフローチャートである。
【図８Ｂ】図８Ｂは、ＮＡＴ機能がアクセスポイント中で提供されるときに、パケットを送るアクセス端末とともに実行してもよい動作のいくつかの例示的な観点のフローチャートである。
【図９】図９は、ローカルノードによりアクセス端末に送られたパケットを取り扱うプロキシ機能とともに実行してもよい動作のいくつかの例示的な観点のフローチャートである。
【図１０】図１０は、ローカルＩＰアクセスの提供とともに用いてもよいワイヤレスノードのコンポーネントのいくつかの例示的な観点の簡略ブロック図である。
【図１１】図１１は、ワイヤレス通信のためのカバレッジエリアを図示する簡略図である。
【図１２】図１２は、ワイヤレス通信システムの簡略図である。
【図１３】図１３は、フェムトセルを含むワイヤレス通信システムの簡略図である。
【図１４】図１４は、通信コンポーネントのいくつかの例示的な観点の簡略ブロック図である。
【図１５】図１５は、ここで教示するローカルＩＰアクセスを提供するように構成されている装置のいくつかの例示的な観点の簡略ブロック図である。
【図１６】図１６は、ここで教示するローカルＩＰアクセスを提供するように構成されている装置のいくつかの例示的な観点の簡略ブロック図である。
【図１７】図１７は、ここで教示するローカルＩＰアクセスを提供するように構成されている装置のいくつかの例示的な観点の簡略ブロック図である。
【図１８】図１８は、ここで教示するローカルＩＰアクセスを提供するように構成されている装置のいくつかの例示的な観点の簡略ブロック図である。
【００１５】
共通の実施にしたがって、図面中で説明したさまざまな特徴は、スケーリングするように描かれていないかもしれない。したがって、さまざまな特徴の寸法は、明瞭にするために、任意に拡大または縮小してもよい。さらに、図面のいくつかは、明瞭にするために簡略化されているかもしれない。したがって、図面は、所定の装置（例えば、デバイス）または方法のコンポーネントのすべてを描写しないかもしれない。最後に、明細書および図全体にわたって同じ特徴を表すために、同じ参照番号を使用してもよい。
【詳細な説明】
【００１６】
本開示のさまざまな観点を以下で記述する。ここでの教示は、幅広いさまざまな形態で具体化してもよく、ここで開示されている、何らかの特定の構造、機能、またはその両方は、典型的なものにすぎないことが明らかなはずである。ここでの教示に基づいて、ここで開示した観点は、他の任意の観点から独立して実現してもよく、これらの観点のうちの２つ以上をさまざまな方法で組み合わせもよいことを、当業者は理解するはずである。例えば、ここで示した任意の数の観点を使用して、装置を実現してもよく、または、方法を実施してもよい。さらに、ここで示した観点のうちの１つ以上に加えて、または、それら以外に、他の構造、機能、または、構造および機能を使用して、そのような装置を実現してもよく、または、そのような方法を実施してもよい。さらに、観点は、請求項の少なくとも１つの要素を含んでいてもよい。
【００１７】
図１は、例示的な通信システム１００（例えば、通信ネットワークの一部）中のいくつかのノードを図示する。説明のために、本開示のさまざまな観点を、互いに通信する、１つ以上のアクセス端末、アクセスポイント、ルータ、およびネットワークという状況において説明する。しかしながら、ここでの教示は、他の用語を使用して参照される、他のタイプの装置または他の類似の装置に適用可能であってもよいことを理解すべきである。例えば、さまざまな構成において、アクセスポイントは、基地局として参照され、または実現されてもよく、アクセス端末は、ユーザ機器などとして参照され、または実現されてもよい。
【００１８】
システム１００は、１つ以上のアクセス端末に対して１つ以上のサービス（例えば、ネットワークの接続性）を提供するアクセスポイントを含み、１つ以上のアクセス端末は、アクセスポイントのカバレッジエリア内に存在していてもよく、または、アクセスポイントのカバレッジエリアを通過してもよい。図１の複雑さを低減させるために、単一のアクセスポイント１０２と単一のアクセス端末１０４とだけを示している。システム１００中のアクセスポイントのそれぞれは、（例えば、オペレータネットワーク１０６により表されるような）１つ以上のコアネットワークノードと通信して、ワイドエリアネットワークの接続性を容易にしてもよい。ネットワークノードは、例えば、１つ以上の無線および／またはコアネットワークエンティティ（例えば、モビリティ管理エンティティ、セッション参照ネットワーク制御装置、ゲートウェイ、ルータ、または、他の何らかの適切なネットワークエンティティ）のような、さまざまな形態をとってもよい。
【００１９】
システム１００中のノードは、さまざまな手段を用いて、互いに通信してもよい。図１の例において、アクセスポイント１０２は、通信リンク１１８により表されるように、ルータ１１４に接続していてもよく、ルータ１１４は、通信リンク１２０により表されるようにインターネット１１６に接続していてもよく、オペレータネットワーク１０６は、通信リンク１２２により表されるようにインターネット１１６に接続していてもよい。さらに、ＲＦ記号１２４により表されるように、アクセス端末１０４は、エアインターフェースを介してアクセスポイント１０２と通信する。
【００２０】
これらの通信リンクの使用を通して、アクセス端末１０４は、システム１００中のさまざまな対応ノード（例えば、ノード１０８、１１０および１１２）と通信してもよい。いくつかの観点において、これらの異なる対応ノードは、異なるレベルのサービスに対応していてもよい。
【００２１】
例えば、第１のレベルのサービスは、オペレータネットワークによりアクセスされるサービスに関係していてもよい。すなわち、第１のレベルのサービスは、アクセス端末がマクロネットワークに接続されている（例えば、ワイヤレスオペレータネットワーク上のマクロ基地局に接続されている）ときと同様なサービスにアクセス端末がアクセスするのを可能にしてもよい。
【００２２】
さらに、第２のレベルのサービスは、オペレータネットワークを経ることなくアクセスされるローカルサービスに関係していてもよい。例えば、アクセス端末がホームネットワークまたは他の何らかのローカルエリアネットワークにあるとき、第２のレベルのサービスは、アクセス端末がいくつかのサービスにアクセスすることを可能にしてもよい。有利にも、オペレータネットワークをバイパスすることにより、待ち時間が改善され、（例えば、オペレータのバックホールからトラフィックをオフロードすることにより）オペレータネットワーク上のリソースが保護され得る。
【００２３】
ローカルサービスは、さまざまな形態をとってもよい。いくつかの構成において、ローカルサービスは、ローカルネットワーク上のエンティティにより提供されるサービスに関係していてもよい。例えば、対応ノード１１０は、アクセスポイント１０２と同じＩＰサブネットワーク（例えば、ルータ１１４により担当されるローカルエリアネットワーク）上に存在するローカルサーバを表わしてもよい。このケースにおいて、ローカルネットワークサービスにアクセスすることは、ＩＰサブネットワーク上の、ローカルプリンタ、ローカルサーバ、ローカルコンピュータ、別のアクセス端末、または、他の何らかのエンティティにアクセスすることを含んでいてもよい。図１において、アクセス端末１０４と対応ノード１１０との間のトラフィック（例えば、パケット）フローは、破線１２６により表されている。線１２６は、アクセス端末１０４が、オペレータネットワーク１０６を経ずに、アクセスポイント１０２とルータ１１４とにより（すなわち、リンク１２４と１１８とにより）、このローカルサービスにアクセスしてもよいことを図示している。
【００２４】
いくつかの構成において、ローカルサービスは、他の何らかのネットワークに接続されているノード（例えば、インターネット１１６に接続されている対応ノード１１２）に関係していてもよい。例えば、ルータ１１４は、インターネットサービスプロバイダ（“ＩＳＰ”）へのインターネット接続を提供してもよく、アクセス端末１０４は、このインターネット接続を使用して、ノード１１２（例えば、ウェブサーバ）により提供されるサービスにアクセスしてもよい。したがって、ローカルＩＰアクセスの使用を通して、ネットワーク中のいくつかの場所（例えば、ユーザの自宅、雇用者の施設、インターネットホットスポットなど）において、インターネットへのアクセスが、ネットワーク中の異なるアクセス端末に提供されてもよい。（例えば、リンク１２４、１１８および１２０による）アクセス端末１０４と対応ノード１１２との間のトラフィックフローは、図１中の破線１２８により表される。
【００２５】
図１の例において、対応ノード１０８（例えば、別のアクセス端末）へのアクセスは、このノードがオペレータネットワーク１０６によりアクセスされることから、非ローカルサービスとして定義されてもよい。（例えば、リンク１２４、１１８、１２０および１２２による）アクセス端末１０４と対応ノード１０８との間のトラフィックフローは、点線１３０により表されている。通常、このトラフィックは、１対の線１３２により表されるようなプロトコルトンネル（例えば、ＩＰｓｅｃトンネル）により、アクセスポイント１０２とオペレータネットワーク１０６（例えば、オペレータネットワーク１０６中のアクセス端末１０２に対するＩＰゲートウェイ）との間でルーティングされる。
【００２６】
さまざまな構成において、システム１００中のノードは、ローカルネットワークに対してプロキシ機能（例えば、プロキシＡＲＰ機能）を提供することにより、および、ローカルネットワークに対してＮＡＴ機能を提供することにより、複数のＩＰインターフェースの使用を通してローカルＩＰアクセスを容易にしてもよい。例えば、いくつかの構成において、アクセス端末１０４およびアクセスポイント１０２は、それぞれ、複数ＩＰインターフェース処理機能１３４および１３６を含んでいてもよく、複数ＩＰインターフェース処理機能１３４および１３６は、アクセス端末１０４が、異なるサービス（例えば、異なるレベルのサービス）にアクセスするために異なるＩＰインターフェースを使用することを可能にする。ここで、アクセス端末１０４は、オペレータネットワークサービスにアクセスするために第１のＩＰインターフェースを使用し、ローカルサービスにアクセスするために第２のＩＰインターフェースを使用してもよい。いくつかの観点において、これらの異なるＩＰインターフェースの使用は、アクセスポイント１０２がパケットを適切な宛先に効率的にルーティングすることを可能にする。例えば、アクセスポイント１０２は、第１のインターフェースにより、プロトコルトンネルによってオペレータネットワークに送られた何らかのパケットを自動的にルーティングするように構成されていてもよい。逆に、アクセスポイント１０２は、第２のインターフェースにより、ローカルの宛先に送られた何らかのパケットを自動的にルーティングするように構成されていてもよい。
【００２７】
いくつかの構成において、アクセスポイント１０２は、アクセス端末１０４に代わってプロキシ動作（例えば、プロキシＡＲＰ動作）を実行するプロキシ処理機能１３８を含んでいてもよい。例えば、アクセスポイント１０２は、アクセス端末１０４に対するローカルネットワークＩＰアドレスを取得し、アクセス端末に向けられたパケット（例えば、宛先アドレスとして、アクセス端末のローカルネットワークＩＰアドレスを有するパケット）を遮断してもよい。いくつかのケースにおいて、アクセスポイントは、これらの遮断したパケットをアクセス端末に転送してもよい。遮断されたパケットが、そのローカルＩＰアドレスに向けられたＡＲＰメッセージを含むケースにおいて、アクセスポイント１０２は、アクセスポイント１０２のＭＡＣアドレスにより、ＡＲＰメッセージに応答してもよい。この方法で、ローカルネットワーク上の別のノードが、アクセス端末１０４へのアクセスを開始してもよい（すなわち、アクセス端末が他のノードに最初に接触することを必要としない）。
【００２８】
いくつかの構成において、アクセスポイント１０２は、アクセス端末１０４からのパケットに対してＮＡＴ動作を選択的に実行するＮＡＴ処理機能１４０を含んでいてもよい。例えば、アクセス端末がローカルサービスにアクセスすることに関連して、パケットを送るとき、アクセスポイント１０２は、オペレータにより割り当てられているＩＰ発信元アドレスの代わりに、ローカルネットワークＩＰ発信元アドレスを用いるように構成されていてもよい。
【００２９】
ここでの教示にしたがって提供される、ローカルＩＰアクセス関連の機能の、これらのおよび他の観点を、これから、図２ないし１０を参照してより詳細に説明する。図２ないし５は、複数のＩＰインターフェースを用いる構成に関係する。図６ないし９は、ローカルアクセスポイントがＮＡＴ機能を含む構成に関係する。図１０は、ここで教示するローカルＩＰアクセス関連の機能を提供するために、（例えば、ここで記述するアクセスポイント１０２、２０２および６０２に対応する）アクセスポイント１００２および（ここで記述するアクセス端末１０４、２０４および６０４に対応する）アクセス端末１００４のようなノード中で用いられてもよい、いくつかのコンポーネントを描写する。
【００３０】
図１０において、アクセスポイント１００２およびアクセス端末１００４は、互いに、および他のノードと通信するために、それぞれのトランシーバ１００６および１００８を含んでいてもよい。トランシーバ１００６は、信号（例えば、メッセージおよびパケット）を送る送信機１０１０と、信号を受信する受信機１０１２とを含む。同様に、トランシーバ１００８は、信号を送る送信機１０１４と、信号を受信する受信機１０１６とを含む。
【００３１】
便宜上、図１０は、さまざまな構成において、ローカルＩＰアクセスを容易にするために、アクセスポイント１００２およびアクセス端末１００４に組み込まれていてもよい、さまざまなコンポーネントを図示する。しかしながら、実際には、所定の構成は、図示されているコンポーネントのうちのいくつかだけを組み込んでいてもよい。さらに、所定のノードが、記述したコンポーネントのうちの１つ以上を含んでいてもよい。例えば、ノードが、複数の周波数上で動作し、および／または、異なる技術により通信することを可能にする複数のトランシーバコンポーネントを、ノードは含んでいてもよい。さらに、記述したコンポーネントは、通信システム中の他のノードに組み込まれていてもよいことを理解すべきである。例えば、システム中の他のノードは、同様の機能を提供するために、アクセスポイント１００２およびアクセス端末１００４に対して記述したコンポーネントと同様のコンポーネントを含んでいてもよい。図１０のコンポーネントは、以下でより詳細に記述する。
【００３２】
これから図２を参照すると、この例は、アクセス端末２０４が（例えば異なるストリームに関係付けられている）異なるＩＰインターフェースを使用して、オペレータネットワークサービスおよびローカルサービスにアクセスするシステム２００を図示する。異なる構成において、異なる数のＩＰインターフェース（およびストリーム）を使用してもよく、そのようなＩＰインターフェースにより、異なるタイプのサービスにアクセスしてもよいことを理解すべきである。
【００３３】
１対の線２１８により表されるように、アクセス端末２０４は、第１のＩＰインターフェースを使用して、オペレータネットワーク２０６にパケットを送り、オペレータネットワーク２０６からパケットを受信する。いくつかの観点において、第１のＩＰインターフェースは、オペレータネットワークにおいて（例えば、オペレータネットワーク２０６中の、アクセス端末２０４に対するパケットデータ担当ノードにおいて）終端されるエアインターフェースストリームに関係付けられている。図１のように、アクセス端末２０４と対応ノード２０８との間のトラフィックフローは、点線２３０により表されている。さらに、このトラフィックは、アクセスポイント２０２とオペレータネットワーク２０６との間でプロトコルトンネル２３２により送られる。ここで、オペレータネットワーク２０６中のノードと通信するときに、アクセス端末２０４は、オペレータにより割り当てられているＩＰアドレスを使用する。
【００３４】
１対の線２２０により表されるように、アクセス端末２０４は第２のＩＰインターフェースを使用して、ローカルサービスに関係付けられているパケットを送受信する。いくつかの観点において、第２のＩＰインターフェースは、アクセスポイント２０２（例えば、アクセス端末２０４に対するアクセスノード）において終端されるエアインターフェースストリームに関係付けられている。図２の例は、異なるローカルサービスに関係付けられている、異なるトラフィックフローに対して、第２のＩＰインターフェースを使用してもよいことを図示する。例えば、（破線２２８により表される）アクセス端末２０４および対応ノード２１２間のトラフィックフローと、（破線２２６により表される）アクセス端末２０４および対応ノード２１０間のトラフィックフローとの両方が、第２のＩＰインターフェースにより送られる。ここで、他のノードと通信してローカルサービスにアクセスするときに、アクセス端末２０４は、ローカルルータ２１４により割り当てられているローカルＩＰアドレスを使用する。
【００３５】
第２のＩＰインターフェースによるローカルＩＰアクセスをサポートするために、アクセスポイント２０２は、ローカルＩＰ領域（例えば、ローカルネットワーク）に対して使用するための、アクセス端末２０４に対するパケットフィルタをセットアップしてもよい。さらに、アクセスポイント２０２は、プロキシＡＲＰ機能のようなプロキシ機能と、ダイナミックホストプロトコル設定（“ＤＨＣＰ”）リレー機能のようなエージェント機能とを提供してもよい。システム２００のこれらの観点は、図３ないし５のフローチャートを参照して、より詳細に記述する。
【００３６】
便宜上、図３ないし５の動作（あるいは、ここで説明または教示する他の任意の動作）を、特定のコンポーネント（例えば、システム１００および／または図１０中で描写するシステム１０００のコンポーネント）により実行するものとして記述するかもしれない。しかしながら、これらの動作は、他のタイプのコンポーネントにより実行してもよく、異なる数のコンポーネントを使用して実行してもよいことを理解すべきである。また、ここで記述する動作のうちの１つ以上は、所定の構成において用いられなくてもよいことを理解すべきである。
【００３７】
図３は、アクセス端末が複数のＩＰインターフェースを使用して異なるサービスにアクセスすることを可能にする、いくつかの動作を説明する。特に、これらの動作は、ＩＰインターフェースをセットアップすることと、パケットフィルタリング動作に対して使用されるリストを提供することとに関係する。
【００３８】
ブロック３０２により表されるように、何らかの時点で、アクセス端末２０４は、アクセスポイント２０２に接続する。例えば、アクセスポイント２０２は、アクセス端末２０４に対するホームフェムトノードを備えていてもよい。したがって、アクセス端末２０４は、アクセス端末２０４が自宅にあるときはいつでもアクセスポイント２０２に接続し得る。
【００３９】
接続をセットアップすることに関連して、アクセスポイント２０２およびアクセス端末２０４が交渉して、両方のノードが複数のＩＰインターフェースの使用をサポートするかどうかを、および、この接続に対して複数のＩＰインターフェースを使用するかどうかを決定してもよい。例えば、システム２００中のアクセスポイントは、いくつかのアクセス端末（例えば、ホームアクセス端末）だけに対してローカルＩＰアクセスを提供するように構成されていてもよい。したがって、ローカルサービスへのアクセスを提供する前に、アクセスポイント２０２は、アクセス端末２０４がローカルサービスにアクセスする権限
を有するかどうかを確認してもよい。同様に、アクセス端末２０４が複数のＩＰインターフェースの確立を試みる前に、アクセス端末２０４は、アクセスポイント２０２がローカルＩＰアクセスを提供するかどうかを決定してもよい。以下の説明において、アクセスポイント２０２およびアクセス端末２０４は、複数のＩＰインターフェースをサポートするものと仮定している。
【００４０】
ブロック３０４により表されるように、オペレータネットワーク２０６が、アクセス端末２０４に対してＩＰアドレスを割り当てる。第１のＩＰインターフェースによりオペレータネットワークサービスにアクセスするとき、アクセス端末２０４は、このＩＰアドレスを使用する。
【００４１】
ブロック３０６により表されるように、アクセスポイント２０２は、（例えば、図１０中で示したようなＩＰアドレスエージェント１０１８の動作により）エージェント機能（例えば、ＤＨＣＰリレー機能）を提供して、アクセス端末２０４のためのローカルネットワークＩＰアドレスを取得してもよい。例えば、アクセスポイント２０２は、ルータ２１４によりサービスされるローカルエリアネットワーク上で使用すべきＩＰアドレスを要求するメッセージをローカルルータ２１４に送ってもよい。アクセスポイント２０２は、このＩＰアドレスの記録を維持して、ＩＰアドレスをアクセス端末２０４に送ってもよい。
【００４２】
アクセス端末２０４が、所定のパケットを送るのに使用すべきＩＰインターフェースを選択するために使用するパケットフィルタを、アクセスポイント２０２（例えば、リストプロバイダ１０２２）はセットアップしてもよい。例えば、ブロック３０８により表されるように、アクセスポイント２０２は、異なるパケットの宛先を異なるＩＰインターフェースにマッピングするリストを提供してもよい。いくつかの観点において、このリストは、オペレータのポリシー、宛先アドレス、宛先サブネット、パケットのプロトコルタイプ、ＴＣＰポート、ＵＤＰポート、または、これらの項目の何らかの組合せに基づいていてもよい。ブロック３１０により表されるように、アクセスポイント２０２（例えば、送信機１０１０）は、アクセス端末２０４にリストを送ってもよい。
【００４３】
このようなパケットフィルタリストは、さまざまな形態をとってもよい。さらに、パケットの宛先およびＩＰインターフェースは、リスト中でさまざまな方法により表されてもよい。いくつかの構成において、パケットの宛先は、宛先を示す情報（例えば、完全な宛先アドレス、サブネットアドレス、ポート、プロトコルのタイプ）によりリスト中で示され、ＩＰインターフェースは、ＩＰアドレス（例えば、アクセス端末２０４のＩＰアドレス）により示される。例えば、オペレータネットワーク２０６に対応するサブネットワークアドレスは、第１のＩＰインターフェースにマッピングしてもよく、ルータ２１４により担当されるローカルエリアネットワークに対応するサブネットワークアドレスは、第２のＩＰインターフェースにマッピングしてもよく、対応ノード２１２に対応するサブネットワークアドレスは、第２のＩＰインターフェースにマッピングしてもよい、などである。
【００４４】
これから、図４Ａおよび４Ｂを参照して、第１および第２のＩＰインターフェースにより、それぞれ、ネットワークおよびローカルの宛先に対してパケットを送るアクセス端末２０４とともに実行してもよい、いくつかの動作を、それぞれ記述する。
【００４５】
図４Ａのブロック４０２ないし４０６は、アクセス端末２０４が無線によってパケットをアクセスポイント２０２に送ることを実行してもよい動作を説明する。ブロック４０２により表されるように、何らかの時点で、アクセス端末２０４は、特定の宛先に送るべきデータを提供する（例えば、発生させる）。さらに、アクセス端末２０４（例えば、図１０のパケットプロセッサ１０２４）は、データを送るパケットを発生させる。ここで、パケットに対する発信元アドレスは、アクセス端末２０４（例えば、パケットプロセッサ１０２４）がアクセスポイント２０２から受信したローカルＩＰアドレスである。
【００４６】
ブロック４０４により表されるように、アクセス端末２０４（例えば、ＩＰインターフェース選択器１０２６）は、それがアクセスポイント２０２から受信したパケットフィルタリストを使用して、パケットを送るために使用すべきＩＰインターフェースを選択する。例えば、アクセス端末２０４は、パケットに対する宛先（例えば、パケット宛先アドレス）をリスト中のパケット宛先情報（例えば、サブネットワークアドレス）と比較して、パケットに対して使用すべきＩＰインターフェースを識別してもよい。ここで、特定の宛先に対する一致がリスト中で見出されない場合に使用するために、デフォルトのＩＰインターフェースが（例えば、オペレータのポリシーに基づいて）規定されていてもよい。
【００４７】
ブロック４０６により表されるように、アクセス端末２０４（例えば、パケットプロセッサ１０２４）は、識別されたＩＰインターフェースによりパケットを送ってもよい。例えば、パケットが第１のＩＰインターフェースにより送られる場合、アクセス端末２０４は、オペレータネットワーク２０６で終端するエアインターフェースストリームにより、パケットを送ってもよい。逆に、パケットが第２のＩＰインターフェースにより送られる場合、アクセス端末２０４は、アクセスポイント２０２で終端するエアインターフェースストリームによりパケットを送ってもよい。ここで、アクセス端末２０４は、アクセスポイント２０２とアクセス端末２０４との間で確立される共通のエアインターフェースを通して（例えば、同じ時間または異なる時間に）異なるタイプのストリームを送ってもよいことを理解すべきである。
【００４８】
図４Ａおよび４Ｂのブロック４０８ないし４２６は、パケットを適切な宛先に送るために実行してもよい動作を説明する。これらの動作は、ブロック４０８において、アクセスポイント２０２（例えば、図１０のパケットプロセッサ１０２８）がアクセス端末２０４からパケットを受信することで始まる。
【００４９】
ブロック４１０により表されるように、アクセスポイント２０２（例えば、パケットプロセッサ１０２８）は、受信したパケットをその宛先に送るための適切なパスを決定する。ここで、アクセスポイント２０２は、受信したパケットに関係付けられているＩＰインターフェースに基づいて、パスを識別してもよい。例えば、ブロック４１２において、アクセスポイント２０２は、（例えば、パケットが第１のＩＰインターフェースにより送られた場合）オペレータネットワークへのパスにより、または、（例えば、パケットが第２のＩＰインターフェースにより送られた場合）ローカルパスにより、パケットを送るべきであるかを決定してもよい。
【００５０】
ブロック４１４により表されるように、オペレータネットワークパスが、ブロック４１０および４１２において識別される場合には、アクセスポイント２０２（例えば、パケットプロセッサ１０２８）は、オペレータネットワーク２０６への送信のために、パケットをプロトコルトンネル２３２にカプセル化する。オペレータネットワーク２０６は、このストリームに対して終端ポイントを提供し、ネットワークを通して、指定された宛先（例えば、ノード２０８）にパケットを転送する。このケースにおいて、パケットの発信元アドレスおよび宛先アドレス（例えば、ノード２０８のＩＰアドレス）は、パケットがシステム２００を通して移動するときに変更されなくてもよい。
【００５１】
図４Ｂ中のブロック４１６により表されるように、ローカルパスが、ブロック４１０および４１２において識別される場合には、アクセスポイント２０２（例えば、パケットプロセッサ１０２８）が、ストリームに対して終端ポイントを提供する。ここで、アクセスポイント２０２は、パケットの宛先に基づいて、パケットをどこに送るかを決定する（ブロック４１８および４２０）。例えば、アクセスポイント２０２は、パケットの宛先がローカルネットワーク上にあるかどうかを決定してもよい。
【００５２】
そうである場合、ブロック４２２により表されるように、アクセスポイント２０２（例えば、パケットプロセッサ１０２８）は、ローカルネットワーク上の適切なノード（例えば、対応ノード２１０）にパケットを送る。このケースにおいて、アクセスポイント２０２も、ルータ２１４も、パケットの発信元アドレス（ローカルアドレス）または宛先アドレス（ローカルアドレス）を変更しない。
【００５３】
パケットの宛先がローカルネットワーク上にない（例えば、宛先が、パブリックアドレスを有する対応ノード２１２である）場合、動作フローは、代わりに、ブロック４２０からブロック４２４に進行する。ここで、アクセスポイント２０２は、（例えば、インターネット２１６により）指定された宛先に転送するために、パケットをルータ２１４に送ってもよい。このケースにおいて、ブロック４２６において、ルータ２１４は、ＮＡＴ動作を実行して、アクセス端末２０４のローカルアドレスから、ルータ２１４のパブリックアドレスと、割り当てられているポート番号（例えば、６０．ｄ．ｅ．ｆ、ポートｇ）とに、パケットの発信元アドレスを変更してもよい。同様に、パケットが対応ノード２１２からアクセス端末２０４に送られるとき、ルータ２１４はＮＡＴ動作を実行して、ルータ２１４のパブリックアドレスと、割り当てられているポート番号（例えば、６０．ｄ．ｅ．ｆ、ポートｇ）とから、アクセス端末２０４のローカルアドレスに、パケットの宛先アドレスを変更するだろう。
【００５４】
図５は、アクセスポイント２０２が、アクセス端末２０４に対して送られたローカルパケットに対して、アクセス端末２０４に代わって（例えば、図１０中で示すようなローカルパケットプロキシ１２０の動作により）実行してもよい、いくつかのプロキシ動作を説明する。ブロック５０２により表されるように、アクセスポイント２０２は、（例えば、上述したように）アクセス端末２０４に割り当てられているローカルＩＰアドレスの記録を維持してもよい。ブロック５０４により表されるように、プロキシ機能に関連して、アクセスポイント２０２は、ローカルネットワークによりアクセス端末２０４に向けられた何らかのパケット（例えば、第２のＩＰインターフェースに向けられたパケット）を遮断する。ブロック５０６により表されるように、アクセスポイント２０２は、アクセス端末２０４に代わって、遮断したパケットを処理する。ブロック５０６において実行される動作は、遮断されているパケットのタイプに依存してもよい。いくつかのケースにおいて、アクセスポイント２０２は、単に、遮断したパケットをアクセス端末２０４にルーティングしてもよい。いくつかのケースにおいて、アクセスポイント２０２は、アクセス端末２０４に代わって、遮断したパケットに応答してもよい。例えば、アクセスポイント２０２は、プロキシＡＲＰ機能を提供してもよく、それによって、アクセスポイント２０２は、アクセス端末２０４に向けられているＡＲＰメッセージを処理する。ここで、ローカルネットワーク上の他のノードは、アクセス端末２０４に割り当てられているＩＰアドレスを知っているかもしれないが、アクセス端末２０４にメッセージを送るために使用すべきＭＡＣアドレスを知らないかもしれない。したがって、何らかの時点で、アクセスポイント２０２は、アクセス端末２０４のローカルＩＰアドレスに向けられているＡＲＰメッセージを受信してもよい。このケースにおいて、アクセスポイント２０２は、アクセス端末２０４にアクセスするためにアクセスポイント２０２のＭＡＣアドレスを使用してもよいことを示すメッセージにより、このＡＲＰメッセージに応答してもよい。有利にも、このプロキシＡＲＰ機能の使用により、ローカルネットワーク中の別のノード（例えば、サーバ）は、アクセス端末２０４のアクセスを開始してもよい。したがって、図２中で記述するような構成は、アクセス端末により開始される通信と、ローカルネットワーク上のサーバにより開始される通信との両方をサポートしてもよい。
【００５５】
上述したように、複数のＩＰインターフェースの使用を有利に用いて、ローカルＩＰアクセスを容易にしてもよい。上述の例において、アクセス端末により開始されるローカルアクセスと、サーバにより開始されるローカルアクセスとの両方がサポートされる。さらに、アクセスポイントは、パケットデータ担当ノード（“ＰＤＳＮ”）機能をローカルＩＰアクセスに提供することを必要としない。例えば、担当アクセスポイントは、ローカルＩＰアクセス動作に対して、アクセス端末のオペレータネットワークＩＰアドレス（例えば、マクロアドレス）必要としない。さらに、アクセスポイントは、アドレスパスにおいて何らかのアドレスを修正することを必要としない。また、このスキームは、特定の上位レイヤにより使用されるように限定されない（例えば、それは、ＵＤＰまたはＴＣＰポートにより使用するように限定されない）。
【００５６】
図６をこれから参照すると、システム６００中のアクセスポイント６０２は、ＮＡＴ機能を提供して、ローカルＩＰアクセスを容易にする。このケースにおいて、１つのＩＰインターフェースと、１つのパブリックＩＰアドレスとだけが、アクセス端末６０４に割り当てられている。したがって、１対の線６２０により表されるように、アクセス端末６０４は、オペレータネットワークおよびローカルトラフィックに対して、単一のＩＰインターフェースを使用して、アクセスポイント６０２にパケットを送り、アクセスポイント６０２からパケットを受信する。したがって、（破線６２８により表される）アクセス端末６０４および対応ノード６１２間のトラフィックフローと、（破線６２６により表される）アクセス端末６０４および対応ノード６１０間のトラフィックフローと、（点線６３０により表される）アクセス端末６０４および対応ノード６０８間のトラフィックフローは、単一のＩＰインターフェースにより送られる。上述したように、オペレータネットワークトラフィックは、アクセスポイント６０２およびオペレータネットワーク６０６間のプロトコルトンネル６３２により送られる。
【００５７】
アクセス端末６０４から受信したパケットをルーティングするために、（例えば、図１０中で示すＮＡＴ制御装置１０３０により提供されるような）アクセスポイント６０２のＮＡＴ機能は、アクセス端末６０４に割り当てられているオペレータネットワークＩＰアドレスを、ローカルルータ６１４によりアクセス端末６０４に割り当てられているローカルＩＰアドレスに変換する。したがって、このケースにおいて、アクセスポイント６０２は、ＮＡＴ動作において使用するために、アクセス端末６０４に割り当てられているＩＰアドレスの記録を維持する。さらに、アクセスポイント６０２は、アクセス端末６０４から受信したパケットを遮断して、調査する。アクセスポイント６０２は、次に、プロトコルトンネルを通して、オペレータネットワークに当てられている何らかのパケットを送る。代わりに、アクセスポイント６０２は、ローカルサービスに関係付けられている任意のパケットを終端させて、これらのパケットを適切な宛先に送ってもよい。
【００５８】
システム６００の追加の観点を、図７ないし９のフローチャートを参照してより詳細に記述する。図７は、例示的なセットアップ動作を説明する。図８Ａおよび８Ｂは、アクセス端末６０４がパケットを送るときに実行してもよい例示的な動作を説明する。図９は、ローカルパケットがアクセス端末６０４に送られるときに、アクセスポイント６０２が実行してもよい例示的なプロキシ動作を説明する。
【００５９】
図７のブック７０２により表されるように、何らかの時点で、アクセス端末６０４が、アクセスポイント６０２に接続する。このケースにおいて、アクセス端末６０４は、すべてのトラフィックに対して単一のＩＰインターフェースを使用する。さらに、ブロック７０４により表されるように、オペレータネットワーク６０６が、アクセス端末６０４に対してＩＰアドレスを割り当てる。これらの動作は、ブロック３０２および３０４において上述した対応する動作に類似していてもよい。
【００６０】
ブロック７０６により表されるように、アクセスポイント６０２（例えば、ＩＰアドレスエージェント１０１８）は、アクセス端末６０４に対するローカルネットワークＩＰアドレスを取得してもよい。上述したように、アクセスポイント６０２は、ルータ６１４によりサービスされるローカルエリアネットワーク上で使用すべきＩＰアドレスを要求するメッセージをローカルルータ６１４に送ってもよい。アクセスポイント６０２は、ＮＡＴ動作において使用するために、このＩＰアドレスの記録を維持してもよい。
【００６１】
図８Ａのブロック８０２により表されるように、何らかの時点でアクセスポイント６０２は、アクセス端末６０４からパケットを受信する。ここで、パケットの発信元アドレスは、アクセス端末６０４に割り当てられているオペレータネットワークＩＰに対応するであろう。
【００６２】
ブロック８０４により表されるように、アクセスポイント６０２（例えば、ＮＡＴ制御装置１０３０）は、それが、受信したパケットに対してＮＡＴ動作を実行する必要があるかどうかを決定する。いくつかの構成において、この決定は、パケットの宛先に、オプションとして、オペレータネットワークのポリシーに基づいていてもよい。例えば、ブロック８０６において、アクセスポイント６０２は、オペレータネットワーク６０６へのパスにより、または、ローカルパスにより、パケットを送るべきであるかを、宛先アドレスに基づいて（例えば、宛先ＩＰアドレスのサブネットワークに基づいて）決定してもよい。
【００６３】
ブロック８０８により表されるように、オペレータネットワークパスが、ブロック８０４および８０６において識別される場合には、アクセスポイント６０２は、オペレータネットワーク６０６への送信のために、パケットをプロトコルトンネル６３２にカプセル化する。オペレータネットワーク６０６は次に、ネットワークを通して、指定された宛先（例えば、ノード６０８）にパケットを転送する。このケースにおいて、パケットの発信元アドレスおよび宛先アドレス（例えば、ノード６０８のＩＰアドレス）は、パケットがシステム６００を通して移動するときに変更されなくてもよい。
【００６４】
図８Ｂのブロック８１０により表されるように、ローカルパスがブロック８０４および８０６において識別される場合には、アクセスポイント６０２(例えば、パケットプロセッサ１０２８)は、パケットを遮断する（例えば、パケットストリームに終端ポイントを提供する）。このケースにおいて、ブロック８１２において、アクセスポイント６０２は、ＮＡＴ動作を実行して、パケットの発信元アドレスを変更する。このＮＡＴ動作は、異なる構成において異なる方法で実行してもよい。
【００６５】
いくつかの構成において、アクセスポイント６０２は、プロキシ機能（例えば、プロキシＡＲＰ機能）を提供し、上述したように、アクセス端末６０４に対するローカルＩＰアドレスを取得する。このケースにおいて、アクセスポイント６０２（例えば、ＮＡＴ制御装置１０３０）は、アクセス端末６０４がパケットに対する発信元アドレスとして、もともと指定したオペレータネットワークＩＰアドレスの代わりに、取得したＩＰアドレスを使用する。
【００６６】
いくつかの構成において、アクセスポイント６０２は、“逆ＮＡＴ”機能を提供する。このケースにおいて、アクセスポイント６０２（例えば、ＮＡＴ制御装置１０３０）は、パケットにおいて、オリジナルの発信元ＩＰアドレスの代わりに、それ自身のＩＰアドレスと、割り当てられているポート番号とを使用する。
【００６７】
アクセスポイント６０２は、次に、パケットの宛先に基づいて、パケットをどこに送ったらよいかを決定する（ブロック８１４および８１６）。例えば、アクセスポイント６０２は、パケットの宛先がローカルネットワーク上にあるかどうかを決定してもよい。
【００６８】
ブロック８１８により表されるように、宛先がローカルネットワークである場合、アクセスポイント６０２は、ローカルネットワーク上の適切なノード（例えば、対応ノード６１０）にパケットを送る。このケースにおいて、先に示したように、アクセスポイント６０２は、ＮＡＴ動作を実行して、パケットの発信元アドレス（パブリックアドレス）を変更するだろう。
【００６９】
パケットの宛先がローカルネットワーク上にない（例えば、宛先は、パブリックアドレスを有する対応ノード６１２である）場合、動作フローは、代わりに、ブロック８１６からブロック８２０に進行する。ここで、アクセスポイント６０２は、（例えば、インターネット６１６により）指定された宛先に転送するために、パケットをルータ６１４に送ってもよい。このケースにおいて、アクセスポイント６０２は、ＮＡＴ動作を実行して、パケットの発信元アドレス（パブリックアドレス）を、ルータ６１４のプライベートアドレスと、割り当てられているポート番号とに変更するであろう。その後、ルータ６１４は、ＮＡＴ動作を実行して、パケットの発信元アドレスを、ルータ６１４のパブリックアドレスと、割り当てられているポート番号とに変更してもよい（ブロック８２２）。パケットが対応ノード６１２からアクセス端末６０４に送られるとき、相補的な動作を同様に実行してもよい。
【００７０】
図９のプロキシ動作をこれから参照すると、ブロック９０２により表されるように、アクセスポイント６０２は、ローカルトラフィックに対してアクセス端末６０４に関係付けられているローカルＩＰアドレスの記録を維持する。ブロック８１２において上述したように、いくつかのケースにおいて、アクセスポイント６０２は、アクセス端末６０４に対するローカルＩＰアドレスを取得するが、他のケースにおいて、アクセスポイント６０２のＩＰアドレスと、ポート番号とが、アクセス端末６０４に割り当てられる。
【００７１】
ブロック９０４により表されるように、プロキシ機能に関連して、アクセスポイント６０２は、ローカルネットワークによりアクセス端末６０４に向けられた任意のパケットを遮断してもよい。したがって、構成次第で、アクセスポイント６０２は、アクセス端末６０４に対して取得されたローカルＩＰアドレスに等しい宛先アドレスを有するパケットを遮断してもよく、または、アクセスポイント６０２は、アクセスポイント６０２のローカルＩＰアドレスと、アクセス端末６０４に割り当てられているポート番号とに等しい宛先アドレスを有するパケットを遮断してもよい。
【００７２】
ブロック９０６により表されるように、アクセスポイント６０２は、アクセス端末６０４に代わって、遮断したパケットを処理してもよい。ブロック９０６において実行される動作は、遮断されているパケットのタイプに依存してもよい。いくつかのケースにおいて、アクセスポイント６０２は、遮断したパケットをアクセス端末６０４に単にルーティングしてもよい。いくつかのケースにおいて、アクセスポイント６０２は、アクセス端末６０４に代わって、遮断したパケットに応答してもよい。例えば、アクセスポイント６０２は、プロキシＡＲＰ機能を提供してもよく、それによって、アクセスポイント６０２は、上述した方法と同様の方法で、アクセス端末６０４に向けられているＡＲＰメッセージを処理する。
【００７３】
上述の記載を考慮して、ローカルＩＰアクセスを容易にするために、アクセスポイントにおいてＮＡＴ機能を有利に用いてもよい。特に、（例えば、複数のＩＰインターフェースを実現しない）旧来のアクセス端末を、このケースにおいてサポートしてもよい。
【００７４】
いくつかの観点において、図６のスキームは、ブロードキャストパケットをサポートしてもよい。例えば、それは、よく知られているメッセージ（例えば、ＤＨＣＰメッセージ）を除いて、アクセス端末が、他の任意のブロードキャストパケットを決して送らないことを指定してもよい。そのようなケースにおいて、アクセスポイントにおけるＰＤＳＮ機能は、ＩＰブロードキャストパケット中の任意のＤＨＣＰメッセージを処理してもよい。他の任意のブロードキャストパケットが次に、ローカルサブネットワークに送られる。他の対応ノードにより送られたブロードキャストパケットは、アクセスポイントに接続しているアクセス端末に送られるだろう。
【００７５】
図７ないし９中で記述した例において、２つのＮＡＴ動作が、対応ノード６１２に宛てられたパケットに対して実行された。これらのＮＡＴ動作のうちの１つを削除することが望まれる場合、ルーティング機能を、（例えば、図１０中のルータ１０３２により示されるような）アクセスポイント６０４において用いてもよい。このケースにおいて、すべてのローカルノードが、アクセスポイントに接続されていてもよい。アクセスポイント中のＮＡＴ機能は、次に、ローカルネットワーク上のすべての対応ノードに対してローカルＩＰアドレスを割り当ててもよい。したがって、ローカルルータは、削除されてもよく、または、ローカルルータは、ＮＡＴ機能を提供しないように構成されていてもよい。
【００７６】
後者のケースにおいて、いかなる対応ノードも、ローカルルータに接続されない。ローカルルータは、アクセスポイントに対して、１つのローカルＩＰアドレスを提供するだけでもよい。これは、ローカルルータが、オーバーラップしているアドレスをアクセスポイントに割り当てることを防ぐであろう。
【００７７】
アクセスポイントが、ローカルサブネットワーク中にある宛先アドレスを有するパケットを受信する場合には、アクセスポイントは、オリジナルのパケット発信元アドレス（例えば、アクセスポイントに割り当てられているオペレータネットワークＩＰアドレス）を、アクセスポイントがアクセス端末に割り当てたローカルネットワークＩＰアドレスに変換する。ここで、アクセスポイントは、このローカルネットワークＩＰアドレスに対してプロキシ機能（例えば、プロキシＡＲＰ機能）を実行してもよい。
【００７８】
アクセスポイントが、（例えば、ポリシーに基づいて）オペレータサブネットワーク中になく、ローカルサブネットワーク中にない宛先アドレスを有するパケットを受信する場合には、アクセスポイントは、単に、パケットをローカルルータに転送してもよい（すなわち、ＮＡＴ動作を実行しない）。次に、ローカルルータは、単に、ＩＳＰにより（例えば、ＮＡＴ動作を実行することなく）パケットを対応ノードに転送してもよい。このケースにおいて、応答を受信するアクセス端末に対して、アクセス端末は、公にルーティング可能なアドレス（publicly routable address）を使用する。
【００７９】
いくつかの構成において、ローカルＩＰアクセスは、ＩＰポートの転送の使用を通して達成してもよい。ここで、アクセス端末は、（例えば、ＮＡＴ機能を提供する）ローカルルータ中で実現してもよいポート転送メカニズムを使用して、ローカル領域中のノードと通信してもよい。このケースにおいて、トラフィックは、オペレータネットワークを通過する。例として、発信元アドレスがアクセス端末のローカルＩＰアドレスであり、（ルータに付加されている対応ノードの）宛先アドレスが、ルータのパブリックアドレスと、割り当てられているポート番号とであるパケットを、アクセス端末は送ってもよい。このパケットは、アクセスポイントからオペレータネットワークに、プロトコルトンネルにより転送される。オペレータネットワークは、パケットをルータに戻すように送り、ルータは、次に、パケットを適切な対応ノードに送る。戻りパケットに対して、発信元アドレスは、対応ノードのローカルＩＰアドレスであり、宛先アドレスは、アクセス端末のローカルアドレスである。ルータのＮＡＴ機能は、発信元アドレスを、ルータのパブリックアドレスと、割り当てられているポート番号とに変更する。ルータはパケットをオペレータネットワークに送り、その結果、オペレータネットワークは、プロトコルトンネルにより、パケットをアクセス端末に送る。
【００８０】
上述したように、ここで教示するローカルＩＰアクセススキームは、マクロカバレッジ（例えば、一般に、マクロセルネットワークまたはワイドエリアネットワーク−ＷＡＮと呼ばれる３Ｇネットワークのような、大規模エリアネットワーク）と、より小さいカバレッジ（例えば、一般に、ローカルエリアネットワーク−ＬＡＮと呼ばれる、住居ベースの、またはビルディングベースのネットワーク環境）とを含む、混在した配備において使用してもよい。ここで、アクセス端末（“ＡＴ”）が、そのようなネットワークを通して移動するとき、アクセス端末は、マクロカバレッジを提供するアクセスポイントにより、いくつかの場所において担当されてもよく、一方、アクセス端末は、より小さいエリアカバレッジを提供するアクセスポイントにより、他の場所において担当されてもよい。いくつかの観点において、より小さいエリアカバレッジのノードを使用して、インクリメントな容量増加、ビルディング内のカバレッジ、および異なるサービスを提供してもよく、それらはすべて、よりロバストなユーザ体験を招来する。
【００８１】
比較的大きなエリアにわたってカバレッジを提供するノードは、マクロノードと呼ばれてもよく、一方、比較的小さいエリア（例えば、住居）にわたってカバレッジを提供するノードは、フェムトノードと呼ばれてもよい。ここでの教示は、他のタイプのカバレッジエリアに関係付けられているノードに適用可能であってもよいことを理解すべきである。例えば、ピコノードは、マクロエリアよりも小さく、フェムトエリアよりも大きいエリアにわたってカバレッジ（例えば、商業ビル内のカバレッジ）を提供してもよい。さまざまなアプリケーションにおいて、他の用語を使用して、マクロノード、フェムトノード、または、他のアクセスポイントタイプのノードを参照してもよい。例えば、マクロノードは、アクセスノード、基地局、アクセスポイント、ｅノードＢ、マクロセルなど、として構成されてもよく、または、そのような用語で呼ばれてもよい。また、フェムトノードは、ホームノードＢ、ホームｅノードＢ、アクセスポイント基地局、フェムトセルなどとして構成されてもよく、または、そのような用語で呼ばれてもよい。いくつかの構成において、ノードは、１つ以上のセルまたはセクタに関係付けられていてもよい（例えば、それらに分割されていてもよい）。マクロノード、フェムトノード、またはピコノードに関係付けられているセルまたはセクタは、それぞれ、マクロセル、フェムトセル、またはピコセルと呼ばれてもよい。フェムトノードをネットワーク中でどのように配備するかに関する単純化した例を、図１１中で提供する。
【００８２】
図１１は、カバレッジマップ１１００の例を図示し、カバレッジマップ１１００において、いくつかのトラッキングエリア１１０２（あるいは、ルーティングエリアまたはロケーションエリア）が規定されており、トラッキングエリア１１０２のそれぞれは、いくつかのマクロカバレッジエリア１１０４を含んでいる。ここで、トラッキングエリア１１０２Ａ、１１０２Ｂおよび１１０２Ｃに関係付けられているカバレッジのエリアは、幅の広い線で描かれており、マクロカバレッジエリア１１０４は、六角形により表されている。トラッキングエリア１１０２はまた、フェムトカバレッジエリア１１０６を含む。この例において、フェムトカバレッジエリア１１０６（例えば、フェムトカバレッジエリア１１０６Ｃ）のそれぞれは、マクロカバレッジエリア１１０４（例えば、マクロカバレッジエリア１１０４Ｂ）内で描写されている。しかしながら、フェムトカバレッジエリア１１０６は、マクロカバレッジエリア１１０４の内部または外側に部分的に位置していてもよいことを理解すべきである。また、（示していない）１つ以上のピコカバレッジエリアが、１つ以上のトラッキングエリア１１０２またはマクロカバレッジエリア１１０４内で規定されていてもよい。マクロカバレッジエリア内に複数のフェムトカバレッジエリアが存在し、複数のフェムトカバレッジエリアは、その内部にあってもよく、または、隣接するマクロセルとの境界をまたいでいてもよいことを理解すべきである。
【００８３】
図１２は、例えば、マクロセル１２０２Ａないし１２０２Ｇのような複数のセル１２０２を備えるワイヤレス通信システム１２００のいくつかの観点を図示し、各セルは、対応するアクセスポイント１２０４（例えば、アクセスポイント１２０４Ａないし１２０４Ｇ）によりサービスされている。したがって、マクロセル１２０２は、図１１のマクロカバレッジエリア１１０４に対応してもよい。図１２中で示すように、アクセス端末１２０６（例えば、アクセス端末１２０６Ａないし１２０６Ｌ）は、ある期間にわたってシステム全体を通してさまざまな場所に分散されていてもよい。例えば、アクセス端末１２０６がアクティブであるかどうか、および、アクセス端末１２０６がソフトハンドオフ中であるかどうか次第で、各アクセス端末１２０６は、定められた時に、フォワードリンク（“ＦＬ”）および／またはリバースリンク（“ＲＬ）上で、１つ以上のアクセスポイント１２０４と通信してもよい。ワイヤレス通信システム１２００は、大きな地理的領域に対してサービスを提供してもよい。例えば、マクロセル１２０２Ａないし１２０２Ｇは、近隣において数ブロックを、または、地方の環境において数平方マイルをカバーしてもよい。
【００８４】
図１３は、１つ以上のフェムトノードがどのようにネットワーク環境（例えば、システム１２００）内に配備されるかを図示するシステム１３００の例である。システム１３００は、比較的小さいエリアカバレッジネットワーク環境中に（例えば、１以上の、ユーザの住居１３３０中に）インストールされている複数のフェムトノード１３１０（例えば、フェムトノード１３１０Ａおよび１３１０Ｂ）を含む。各フェムトノード１３１０は、（示していない）ＤＳＬルータ、ケーブルモデム、ワイヤレスリンク、または、他の接続手段により、ワイドエリアネットワーク１３４０（例えば、インターネット）および移動オペレータコアネットワーク１３５０に結合されてもよい。
【００８５】
フェムトノード１３１０の所有者は、例えば、移動オペレータコアネットワーク１３５０を通して提供される３Ｇ移動サービスのような移動サービスに加入していてもよい。さらに、アクセス端末１３２０は、マクロ環境と、より小さいエリアカバレッジ（例えば、住居）ネットワーク環境との両方において動作可能であってもよい。言い換えれば、アクセス端末１３２０の現在の位置次第で、アクセス端末１３２０は、移動オペレータコアネットワーク１３５０に関係付けられているマクロセルアクセスポイント１３６０により、または、１組のフェムトノード１３１０（例えば、対応するユーザ住居１３３０内に存在するフェムトノード１３１０Ａおよび１３１０Ｂ）のうちのいずれか１つにより、担当されてもよい。例えば、加入者が自宅外にいるとき、彼は、標準的なマクロアクセスポイント（例えば、アクセスポイント１３６０）により担当されてもよく、加入者が自宅の近くまたはその中にいるとき、彼は、フェムトノード（例えば、ノード１３１０Ａ）により担当されてもよい。ここで、フェムトノード１３１０は、旧来のアクセス端末１３２０と下位互換性があってもよい。
【００８６】
ノード（例えば、フェムトノード）は、いくつかの観点において制限されていてもよい。例えば、所定のフェムトノードは、いくつかのアクセス端末に対して、いくつかのサービスを提供するだけでもよい。いわゆる制限されている（または閉じている）アソシエーションを有する配備において、所定のアクセス端末だけが、マクロセル移動ネットワークと、規定されている１組のフェムトノード（例えば、対応するユーザ住居１３３０内に存在するフェムトノード１３１０）とにより担当されてもよい。いくつかの構成において、ノードは、少なくとも１つのノードに対して、シグナリング、データアクセス、登録、ページングまたはサービスのうちの少なくとも１つを提供しないように制限されていてもよい。
【００８７】
いくつかの観点において、（閉じている加入者グループ（Ｃｌｏｓｅｄ Ｓｕｂｓｃｒｉｂｅｒ Ｇｒｏｕｐ）ホームノードＢと呼ばれてもよい）制限されているフェムトノードは、制限付きで設定された１組のアクセス端末にサービスを提供するフェムトノードである。この設定は、必要に応じて、一時的に、または永久に拡張されてもよい。いくつかの観点において、閉じている加入者グループ（“ＣＳＧ”）は、アクセス端末の共通のアクセス制御リストを共有する１組のアクセスポイント（例えば、フェムトノード）として規定されてもよい。領域中のすべてのフェムトノード（または、制限されているすべてのフェムトノード）が動作するチャネルは、フェムトチャネルと呼ばれてもよい。
【００８８】
したがって、さまざまな関係が、所定のフェムトノードと、所定のアクセス端末との間に存在してもよい。例えば、アクセス端末の見地から、開いたフェムトノードは、制限されていないアソシエーションを有するフェムトノードを指してもよい（例えば、フェムトノードは、任意のアクセス端末へのアクセスを可能にする）。制限されているフェムトノードは、何らかの方法で制限されている（例えば、アソシエーションおよび／または登録に対して制限されている）フェムトノードを指してもよい。ホームフェムトノードは、アクセス端末がアクセスして動作する権限があるフェムトノードを指してもよい（例えば、永久的なアクセスが、規定されている１組の１つ以上のアクセス端末に対して提供される）。ゲストフェムトノードは、アクセス端末が一時的にアクセスまたは動作する権限があるフェムトノードを指してもよい。エイリアンフェムトノードは、おそらく緊急の状況（例えば、９１１コール）を除いて、アクセス端末がアクセスまたは動作する権限のないフェムトノードを指してもよい。
【００８９】
制限されているフェムトノードの見地から、ホームアクセス端末は、制限されているフェムトノードにアクセスする権限があるアクセス端末を指してもよい（例えば、アクセス端末は、フェムトノードへの永久的なアクセスを有する）。ゲストアクセス端末は、（例えば、デッドライン、使用時間、バイト、接続カウント、または他の何らかの基準に基づいて限定されている）制限されているフェムトノードへの一時的なアクセスを有するアクセス端末を指してもよい。エイリアンアクセス端末は、例えば、９１１コールのような、おそらく緊急の状況を除いて、制限されているフェムトノードにアクセスする許可をもたないアクセス端末（例えば、制限されているフェムトノードに登録する資格または許可をもたないアクセス端末）を指してもよい。
【００９０】
便宜上、ここでの開示は、フェムトノードの状況においてさまざまな機能性を記述する。しかしながら、ピコノードが、より大きなカバレッジエリアに対して、同じまたは類似の機能性を提供してもよいことを理解すべきである。例えば、ピコノードは制限されていてもよく、ホームピコノードは、所定のアクセス端末に対して規定されていてもよい、などである。
【００９１】
ワイヤレス多元接続通信システムは、複数のワイヤレスアクセス端末に対する通信を同時にサポートしてもよい。各端末は、フォワードリンクおよびリバースリンク上での送信により、１つ以上のアクセスポイントと通信してもよい。フォワードリンク（すなわちダウンリンク）は、アクセスポイントから端末への通信リンクを指し、リバースリンク（すなわちアップリンク）は、端末からアクセスポイントへの通信リンクを指す。この通信リンクは、単一入力単一出力システム、複数入力複数出力（“ＭＩＭＯ”）システム、または他の何らかのタイプのシステム）により確立されてもよい。
【００９２】
ＭＩＭＯシステムは、データ送信に対して、複数（ＮT本）の送信アンテナと、複数（ＮR本）の受信アンテナとを用いる。ＮT本の送信アンテナと、ＮR本の受信アンテナとにより形成されるＭＩＭＯチャネルは、空間チャネルとも呼ばれるＮS個の独立チャネルに分解されてもよい。ここで、ＮS≦最小値｛ＮT，ＮR｝である。ＮS個の独立チャネルのそれぞれは、１つの次元に対応する。複数の送信アンテナおよび受信アンテナにより生成される、追加の次元が利用される場合、ＭＩＭＯシステムは、性能の向上（例えば、より高いスループットおよび／または、より大きな信頼性）を提供してもよい。
【００９３】
ＭＩＭＯシステムは、時分割複信（“ＴＤＤ”）および周波数分割複信（“ＦＤＤ”）をサポートしてもよい。ＴＤＤシステムにおいて、フォワードリンクおよびリバースリンクの送信は、同じ周波数領域上にあり、それにより、相反原理が、リバースリンクチャネルからフォワードリンクチャネルの推定を可能にする。これにより、複数のアンテナがアクセスポイントにおいて利用可能であるとき、アクセスポイントは、フォワードリンク上で送信ビームフォーミングゲインを抽出することが可能になる。
【００９４】
ここでの教示は、少なくとも１つの他のノードと通信するために、さまざまなコンポーネントを用いるノード（例えば、デバイス）に組み込まれてもよい。図１４は、ノード間での通信を容易にするために用いてもよい、いくつかの例示的なコンポーネントを描写する。特に、図１４は、ＭＩＭＯシステム１４００のワイヤレスデバイス１４１０（例えば、アクセスポイント）と、ワイヤレスデバイス１４５０（例えば、アクセス端末）とを図示する。デバイス１４１０において、多数のデータストリームに対するトラフィックデータが、データ源１４１２から送信（“ＴＸ”）データプロセッサ１４１４に提供される。
【００９５】
いくつかの観点において、各データストリームは、それぞれのアンテナに対して送信される。ＴＸデータプロセッサ１４１４は、各データストリームに対して選択された特定のコーディングスキームに基づいて、そのデータストリームに対するトラフィックデータをフォーマットし、コード化し、インターリーブして、コード化されたデータを提供する。
【００９６】
各データストリームに対するコード化データは、ＯＦＤＭ技術を使用して、パイロットデータと多重化してもよい。パイロットデータは一般に、既知の方法で処理される既知のデータパターンであり、チャネル応答を推定するために受信機システムにおいて使用されてもよい。各データストリームに対する、多重化パイロットおよびコード化データは、そのデータストリームに対して選択される特定の変調スキーム（例えば、ＢＰＳＫ、ＱＰＳＫ、Ｍ−ＰＳＫ、またはＭ−ＱＡＭ）に基づいて変調（例えば、シンボルマッピング）されて、変調シンボルが提供される。各データストリームに対するデータレート、コーディング、および変調は、プロセッサ１４３０により実行される命令によって決定してもよい。データメモリ１４３２は、プロセッサ１４３０またはデバイス１４１０の他のコンポーネントにより使用される、プログラムコード、データおよび他の情報を記憶してもよい。
【００９７】
すべてのデータストリームに対する変調シンボルは、ＴＸ ＭＩＭＯプロセッサ１４２０に提供され、ＴＸ ＭＩＭＯプロセッサ１４２０は、（例えば、ＯＦＤＭに対する）変調シンボルをさらに処理してもよい。ＴＸ ＭＩＭＯプロセッサ１４２０は、次に、ＮT個の変調シンボルストリームをＮT台のトランシーバ（“ＸＣＶＲ”）１４２２Ａないし１４２２Ｔに提供する。いくつかの観点において、ＴＸ ＭＩＭＯプロセッサ１４２０は、データストリームのシンボルと、シンボルが送信されているアンテナとに対してビームフォーミングの重みを適用する。
【００９８】
各トランシーバ１４２２は、それぞれのシンボルストリームを受け取って、処理して、１つ以上のアナログ信号を提供し、さらにアナログ信号を調整して（例えば、増幅し、フィルタリングし、アップコンバートする）、ＭＩＭＯチャネルに対して送信に適切な変調信号を提供する。トランシーバ１４２２Ａないし１４２２ＴからのＮT個の変調信号は、それぞれＮT本のアンテナ１４２４Ａないし１４２４Ｔから送信される。
【００９９】
デバイス１４５０において、送信された変調信号が、ＮR本のアンテナ１４５２Ａないし１４５２Ｒによって受信され、各アンテナ１４５２からの受信信号は、それぞれのトランシーバ（“ＸＣＶＲ”）１４５４Ａないし１４５４Ｒに提供される。各トランシーバ１４５４は、それぞれの受信信号を調整し（例えば、フィルタリングし、増幅し、ダウンコンバートする）、調整された信号をデジタル化してサンプルを提供し、さらにサンプルを処理して、対応する“受信”シンボルストリームを提供する。
【０１００】
受信（“ＲＸ”）データプロセッサ１４６０は、ＮR台のトランシーバ１４５４からＮR個の受信シンボルストリームを受け取り、特定の受信機処理技術に基づいて処理して、ＮT個の“検出された”シンボルストリームを提供する。ＲＸデータプロセッサ１４６０は、各検出されたシンボルストリームを復調し、デインターリーブし、デコードして、データストリームに対するトラフィックデータを回復する。ＲＸデータプロセッサ１４６０による処理は、デバイス１４１０におけるＴＸ ＭＩＭＯプロセッサ１４２０およびＴＸデータプロセッサ１４１４により実行される処理と相補関係にある。
【０１０１】
プロセッサ１４７０は、（以下で説明するように）どのプリコーディング行列を使用するかを定期的に決定する。プロセッサ１４７０は、行列インデックス部分とランク値部分とを備えるリバースリンクメッセージを構築する。データメモリ１４７２は、プロセッサ１４７０またはデバイス１４５０の他のコンポーネントにより使用される、プログラムコード、データおよび他の情報を記憶してもよい。
【０１０２】
リバースリンクメッセージは、通信リンクおよび／または受信データストリームに関するさまざまなタイプの情報を含んでもよい。リバースリンクメッセージは、データ源１４３６から多数のデータストリームに対するトラフィックデータも受信するＴＸデータプロセッサ１４３８によって処理され、変調器１４８０によって変調され、トランシーバ１４５４Ａないし１４５４Ｒによって調整され、デバイス１４１０対して戻すように送信される。
【０１０３】
デバイス１４１０において、デバイス１４５０からの変調信号は、アンテナ１４２４によって受信され、トランシーバ１４２２によって調整され、復調器（“ＤＥＭＯＤ”）１４４０によって復調され、ＲＸデータプロセッサ１４４２によって処理されて、デバイス１４５０により送信されたリバースリンクメッセージが抽出される。プロセッサ１４３０は、ビームフォーミングの重みを決定するためにどのプリコーディング行列を使用するかを決定し、次に、抽出されたメッセージを処理する。
【０１０４】
図１４はまた、通信コンポーネントが、ここで教示したローカルＩＰアクセス関連動作を実行する１つ以上のコンポーネントを含んでいてもよいことを図示する。例えば、アクセス制御コンポーネント１４９０は、プロセッサ１４３０および／またはデバイス１４１０の他のコンポーネントと協同して、ここで教示する別のデバイス（例えば、デバイス１４５０）に／から信号を送信／受信してもよい。同様に、アクセス制御コンポーネント１４９２は、プロセッサ１４７０および／またはデバイス１４５０の他のコンポーネントと協同して、別のデバイス（例えば、デバイス１４１０）に／から信号を送信／受信してもよい。各デバイス１４１０および１４５０に対して、記述したコンポーネントのうちの２つ以上の機能は、単一のコンポーネントにより提供されてもよいことを理解すべきである。例えば、単一の処理コンポーネントが、アクセス制御コンポーネント１４９０およびプロセッサ１４３０の機能を提供してもよく、単一の処理コンポーネントは、アクセス制御コンポーネント１４９２およびプロセッサ１４７０の機能を提供してもよい。
【０１０５】
ここでの教示は、さまざまなタイプの通信システムおよび／またはシステムコンポーネントに組み込まれてもよい。いくつかの観点において、ここでの教示は、利用可能なシステムリソースを共有することにより（例えば、帯域幅、送信電力、コーディング、インターリービングなどのうちの１つ以上を指定することにより）複数のユーザとの通信をサポートできる多元接続システム中で用いられてもよい。例えば、ここでの教示を、以下の技術のいずれか１つまたは組み合わせに適用してもよい：コード分割多元接続（“ＣＤＭＡ”）システム、複数搬送波ＣＤＭＡ（“ＭＣＣＤＭＡ”）、広帯域ＣＤＭＡ（“Ｗ−ＣＤＭＡ”）、高速パケットアクセス（“ＨＳＰＡ”、“ＨＳＰＡ＋”）システム、時分割多元接続（“ＴＤＭＡ”）システム、周波数分割多元接続（“ＦＤＭＡ”）システム、単一搬送波ＦＤＭＡ（“ＳＣ−ＦＤＭＡ”）システム、直交周波数分割多元接続（“ＯＦＤＭＡ”）システム、または他の多元接続技術。ここでの教示を用いるワイヤレス通信システムは、ＩＳ−９５、ｃｄｍａ２０００、ＩＳ−８５６、Ｗ−ＣＤＭＡ、ＴＤＳＣＤＭＡ、および他の標準規格のような、１つ以上の標準規格を実現するように設計されていてもよい。ＣＤＭＡネットワークは、ユニバーサル地上無線アクセス（“ＵＴＲＡ”）や、ｃｄｍａ２０００や、他の何らかの技術のような無線技術を実現してもよい。ＵＴＲＡは、Ｗ−ＣＤＭＡと、低チップレート（“ＬＣＲ”）とを含む。ｃｄｍａ２０００は、ＩＳ−２０００、ＩＳ−９５およびＩＳ−８５６の標準規格をカバーする。ＴＤＭＡネットワークは、移動体通信用グローバルシステム（“ＧＳＭ”（登録商標））のような無線技術を実現してもよい。ＯＦＤＭＡネットワークは、進化型ＵＴＲＡ（“Ｅ−ＵＴＲＡ”）や、ＩＥＥＥ８０２．１１や、ＩＥＥＥ８０２．１６や、ＩＥＥＥ８０２．２０や、フラッシュ−ＯＦＤＭ（登録商標）などのような無線技術を実現してもよい。ＵＴＲＡ、Ｅ−ＵＴＲＡおよびＧＳＭは、ユニバーサル移動体電気通信システム（“ＵＭＴＳ”）の一部である。ここでの教示は、３ＧＰＰロングタームエボリューション（“ＬＴＥ”）システム、ウルトラモバイルブロードバンド（“ＵＭＢ”）システム、および他のタイプのシステムにおいて実現してもよい。ＬＴＥは、Ｅ−ＵＴＲＡを使用するＵＭＴＳのリリースである。本開示のいくつかの観点は、３ＧＰＰの用語を使用して説明されているかもしれないが、ここでの教示を、３ＧＰＰ（Ｒｅ１９９、Ｒｅ１５、Ｒｅ１６、Ｒｅ１７）技術に対してだけでなく、３ＧＰＰ２（ＩｘＲＴＴ、１ｘＥＶ−ＤＯＲｅ１Ｏ、ＲｅｖＡ、ＲｅｖＢ）技術および他の技術に対しても適用してもよいことを理解すべきである。
【０１０６】
ここでの教示は、さまざまな装置（例えば、ノード）に組み込まれてもよい（例えば、さまざまな装置内で実現されてもよく、または、さまざまな装置により実行されてもよい）。いくつかの観点において、ここでの教示にしたがって実現されるノード（例えば、ワイヤレスノード）は、アクセスポイントまたはアクセス端末を備えていてもよい。
【０１０７】
例えば、アクセス端末は、ユーザ機器、加入者局、加入者ユニット、移動局、移動、移動ノード、リモート局、リモート端末、ユーザ端末、ユーザエージェント、ユーザデバイス、または、他の何らかの用語を備えていてもよく、そのようなものとして実現されてもよく、または、そのようなものとして知られていてもよい。いくつかの構成において、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続機能を有するハンドヘルドデバイス、またはワイヤレスモデムに接続される他の何らかの適切な処理デバイスを備えていてもよい。したがって、ここで教示される１つ以上の観点は、電話機（例えば、セルラ電話機またはスマート電話機）、コンピュータ（例えば、ラップトップ）、ポータブル通信デバイス、ポータブル計算デバイス（例えば、パーソナルデータアシスタント）、エンターテイメントデバイス（例えば、音楽デバイス、ビデオデバイス、または衛星ラジオ）、グローバルポジショニングシステムデバイス、あるいは、ワイヤレス媒体により通信するように構成されている他の何らかの適切なデバイス、に組み込まれていてもよい。
【０１０８】
アクセスポイントは、ノードＢ、ｅノードＢ、無線ネットワーク制御装置（“ＲＮＣ”）、基地局（“ＢＳ”）、ｅＢＳ、無線基地局（“ＲＢＳ”）、基地局制御装置（“ＢＳＣ”）、基地トランシーバ局（“ＢＴＳ”）、トランシーバ機能（“ＴＦ”）、無線トランシーバ、無線ルータ、基本サービスセット（“ＢＳＳ”）、拡張サービスセット（“ＥＳＳ”）、または他の何らかの同様の用語、を備えていてもよく、そのようなものとして実現されてもよく、または、そのようなものとして知られていてもよい。
【０１０９】
いくつかの観点において、ノード（例えば、アクセスポイント）は、通信システムに対するアクセスノードを備えていてもよい。そのようなアクセスノードは、例えば、ネットワーク（例えば、インターネットまたはセルラネットワークのようなワイドエリアネットワーク）へのワイヤードまたはワイヤレス通信リンクにより、ネットワークに対する、またはネットワークへの接続性を提供してもよい。したがって、アクセスノードは、別のノード（例えば、アクセス端末）がネットワークまたは他の何らかの機能にアクセスすることを可能にしてもよい。さらに、ノードのうちの１つまたは両方は、持ち運びできるものであってもよく、または、いくつかのケースにおいて、相対的に持ち運びできないものであってもよいことを理解すべきである。
【０１１０】
さらに、ワイヤレスノードは、ワイヤレスでない方法で（例えば、ワイヤード接続により）情報を送信および／または受信することが可能であってもよいことを理解すべきである。したがって、ここで記述する受信機および送信機は、非ワイヤレス媒体により通信するための、適切な通信インターフェースコンポーネント（例えば、電気または光のインターフェースコンポーネント）を含んでいてもよい。
【０１１１】
ワイヤレスノードは、任意の適切なワイヤレス通信技術に基づいているか、または、そのような通信技術をサポートする、１つ以上のワイヤレス通信リンクにより通信してもよい。例えば、いくつかの観点において、ワイヤレスノードは、ネットワークに関連していてもよい。いくつかの観点において、ネットワークは、ローカルエリアネットワークまたはワイドエリアネットワークを備えていてもよい。ワイヤレスデバイスは、ここで記述したような、さまざまなワイヤレス通信技術、プロトコル、または標準規格（例えば、ＣＤＭＡ、ＴＤＭＡ、ＯＦＤＭ、ＯＦＤＭＡ、ＷｉＭＡＸ、Ｗｉ−Ｆｉなど）のうちの１つ以上を、サポートしてもよく、または、さもなければ、使用してもよい。同様に、ワイヤレスノードは、さまざまな対応する変調または多重化スキームのうちの１つ以上を、サポートしてもよく、または、さもなければ、使用してもよい。したがって、ワイヤレスノードは、上述の、または、他のワイヤレス通信技術を使用して、１つ以上のワイヤレス通信リンクを確立して、そのようなワイヤレス通信リンクにより通信するための、適切なコンポーネント（例えば、エアインターフェース）を含んでいてもよい。例えば、ワイヤレスノードは、関連する送信機および受信機コンポーネントを有するワイヤレストランシーバを備えていてもよく、関連する送信機および受信機コンポーネントは、ワイヤレス媒体にわたって通信を容易にする、さまざまなコンポーネント（例えば、信号発生器および信号プロセッサ）を含んでいてもよい。
【０１１２】
いくつかの観点において、（例えば、添付図面のうちの１つ以上に関して）ここで記述する機能は、特許請求の範囲中で同様に示されている“〜する手段”機能に対応していてもよい。図１５ないし１８を参照すると、装置１５００、１６００、１７００および１８００が、一連の相互関係のある機能モジュールとして表されている。ここで、ＩＰインターフェース選択モジュール１５０２は、少なくともいくつかの観点において、例えば、ここで記述したＩＰインターフェース識別器に対応していてもよい。パケット送信モジュール１５０４は、少なくともいくつかの観点において、例えば、ここで記述したパケットプロセッサに対応していてもよい。リスト提供モジュール１６０２は、少なくともいくつかの観点において、例えば、ここで記述したリストプロバイダに対応していてもよい。リスト送信モジュール１６０４は、少なくともいくつかの観点において、例えば、ここで記述した送信機に対応していてもよい。パケット処理モジュール１６０６は、少なくともいくつかの観点において、例えば、ここで記述したパケットプロセッサに対応していてもよい。ＩＰアドレス制御モジュール１６０８は、少なくともいくつかの観点において、例えば、ここで記述したＩＰアドレスエージェントに対応していてもよい。パケット受信モジュール１７０２は、少なくともいくつかの観点において、例えば、ここで記述したパケットプロセッサに対応していてもよい。ローカルパケットプロキシモジュール１７０４は、少なくともいくつかの観点において、例えば、ここで記述したローカルパケットプロキシに対応していてもよい。ＩＰアドレスエージェントモジュール１７０６は、少なくともいくつかの観点において、例えば、ここで記述したＩＰアドレスエージェントに対応していてもよい。パケット受信モジュール１８０２は、少なくともいくつかの観点において、例えば、ここで記述したパケットプロセッサに対応していてもよい。ＮＡＴ決定モジュール１８０４は、少なくともいくつかの観点において、例えば、ここで記述したＮＡＴ制御装置に対応していてもよい。
【０１１３】
図１５ないし１８のモジュールの機能は、ここでの教示に矛盾しない、さまざまな方法で実現してもよい。いくつかの観点において、これらのモジュールの機能は、１つ以上の電気コンポーネントとして実現してもよい。いくつかの観点において、これらのブロックの機能は、１つ以上のプロセッサコンポーネントを含む処理システムとして実現してもよい。いくつかの観点において、これらのモジュールの機能は、例えば、１つ以上の集積回路（例えば、ＡＳＩＣ）の少なくとも一部を使用して、実現してもよい。ここで記述するように、集積回路は、プロセッサ、ソフトウェア、他の関連するコンポーネント、または、これらのいくつかの組み合わせを含んでもよい。これらのモジュールの機能はまた、ここで教示した他の何らかの方法で実現してもよい。いくつかの観点において、図１５ないし１８中の破線ブロックのうちの１つ以上は、オプションである。
【０１１４】
“第１”、“第２”などのような呼称を使用する、ここでの要素に対する参照は、一般に、それらの要素の量または順序を限定しない。むしろ、これらの呼称は、２以上の要素間を区別する便利な方法として、または、１つの要素の具体例として、ここで使用してもよい。したがって、第１および第２の要素に対する参照は、２つの要素だけがそこで用いられてもよいこと、または、第１の要素が、何らかの方法で第２の要素に優先しなければならないことを意味するものではない。また、特にことわらない限り、１組の要素は、１つ以上の要素を含んでいてもよい。さらに、詳細な説明または特許請求の範囲において使用される形式である“Ａ、ＢまたはＣのうちの少なくとも１つ”の用語は、“ＡまたはＢまたはＣ、あるいは、これらの任意の組合せ”を意味する。
【０１１５】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【０１１６】
電子ハードウェア（例えば、ソースコーディングまたは他の何らかの技術を使用して設計されてもよい、デジタル構成、アナログ構成、あるいは、２つの組合せ）、（便宜上、ここでは、“ソフトウェア”または“ソフトウェアモジュール”と呼ばれるかもしれない）さまざまな形態の、プログラムまたは命令を組み込んでいる設計コード、あるいは両方の組み合わせとして、ここで開示した観点に関して記述したさまざまな実例となる論理ブロック、モジュール、プロセッサ、手段、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【０１１７】
ここで開示した観点に関して記述した、さまざまな実例となる論理ブロック、モジュールおよび回路は、集積回路（“ＩＣ”）、アクセス端末またはアクセスポイント内で実現されてもよく、または、それらにより実行されてもよい。ＩＣは、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、電気コンポーネント、機械式のコンポーネント、あるいはここで記述した機能を実行するために設計された、これらの任意の組み合わせを備えていてもよく、ＩＣの内部に、ＩＣの外部に、あるいは両方に存在するコードまたは命令を実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【０１１８】
開示した任意のプロセスにおける、何らかの特定の順序またはステップの階層は、サンプルのアプローチの例であることが理解される。設計の選択に基づいて、プロセスにおける、特定の順序またはステップの階層は、並べ換えてもよく、本開示の範囲内にとどまることが理解される。付随の方法は、サンプルの順序で、さまざまなステップの要素を表し、表された特定の順序または階層に限定されることを意味するものではない。
【０１１９】
１つ以上の例示的な実施形態において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へコンピュータプログラムの転送を容易にする何らかの媒体を含む通信媒体との両方を含む。記憶媒体は、コンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用でき、そして、コンピュータによりアクセスできる他の任意の媒体を備えることができる。さらに、いくつかの接続は、適切に、コンピュータ読み取り可能媒体と呼ばれてもよい。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。コンピュータ読み取り可能媒体は、任意の適切なコンピュータプログラムプロダクトにおいて実現されてもよいことを理解すべきである。
【０１２０】
いかなる当業者であっても本開示を実施しまたは使用できるように、開示した観点の記述をこれまでに提供している。これらの観点に対してさまざまな修正が当業者に容易に明らかであり、本開示の範囲から逸脱することなく、ここで規定した一般的な原理を、他の観点に適用してもよい。したがって、本開示は、ここで示した観点に限定されるように意図されておらず、ここで開示した原理および新規な特徴に矛盾しない最も広い範囲に一致すべきである。
【図１】
2014014116.tif 000003
【図２】
2014014116.tif 000004
【図３】
2014014116.tif 000005
【図４Ａ】
2014014116.tif 000006
【図４Ｂ】
2014014116.tif 000007
【図５】
2014014116.tif 000008
【図６】
2014014116.tif 000009
【図７】
2014014116.tif 000010
【図８Ａ】
2014014116.tif 000011
【図８Ｂ】
2014014116.tif 000012
【図９】
2014014116.tif 000013
【図１０】
2014014116.tif 000014
【図１１】
2014014116.tif 000015
【図１２】
2014014116.tif 000016
【図１３】
2014014116.tif 000017
【図１４】
2014014116.tif 000018
【図１５】
2014014116.tif 000019
【図１６】
2014014116.tif 000020
【図１７】
2014014116.tif 000021
【図１８】
2014014116.tif 000022
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
通信の方法において、
アクセスポイントにおいて、パケットの宛先をインターネットプロトコルインターフェースにマッピングするリストを提供することと、
前記アクセスポイントからアクセス端末に前記リストを送ることと
を含む方法。
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
通信の方法において、
アクセスポイントにおいて、パケットの宛先をインターネットプロトコルインターフェースにマッピングするリストを提供することと、
前記アクセスポイントからアクセス端末に前記リストを送ることと
を含む方法。
【請求項２】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを第２のＩＰインターフェースにさらにマッピングする請求項１記載の方法。
【請求項３】
前記アクセス端末からパケットを受信することと、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定することと
をさらに含む請求項２記載の方法。
【請求項４】
前記第１のインターネットプロトコルインターフェースに関係付けられている第１のパケットを前記アクセスポイントから受信することと、
前記オペレータネットワークにより、前記第１のパケットを前記ネットワークノードに送ることと、
前記第２のインターネットプロトコルインターフェースに関係付けられている第２のパケットを前記アクセスポイントから受信することと、
前記第２のパケットを、前記オペレータネットワークを通して送らずに、前記第２のパケットを前記ローカルノードに送ることと
をさらに含む請求項２記載の方法。
【請求項５】
前記第１のパケットは、前記オペレータネットワークにおいて終端される第１のストリームにより受信され、
前記第２のパケットは、前記アクセスポイントにおいて終端される第２のストリームにより受信される請求項４記載の方法。
【請求項６】
前記アクセスポイントは、ローカルルータに関係付けられているローカルネットワーク上にあり、
前記ローカルノードは、前記ローカルネットワーク上にある請求項２記載の方法。
【請求項７】
前記第２のインターネットプロトコルインターフェースに関係付けられているパケットを前記アクセスポイントから受信することと、
前記受信したパケットの宛先アドレスに基づいて、前記受信したパケットを前記ローカルノードに送るかどうかを決定することと
をさらに含む請求項６記載の方法。
【請求項８】
前記アクセスポイントは、ローカルルータに関係付けられているローカルネットワーク上にあり、
前記ローカルノードは、前記ローカルルータのインターネット接続によりアクセス可能である請求項２記載の方法。
【請求項９】
前記第２のインターネットプロトコルインターフェースに関係付けられているパケットを前記アクセスポイントから受信することと、
前記受信したパケットの宛先アドレスに基づいて、前記受信したパケットを前記ローカルノードに送るかどうかを決定することと
をさらに含む請求項８記載の方法。
【請求項１０】
前記リストにおいて、
前記パケットの宛先は、サブネットワークアドレスにより示されており、
前記インターネットプロトコルインターフェースは、インターネットプロトコルアドレスにより示されている請求項１記載の方法。
【請求項１１】
前記アクセスポイントは、ローカルルータに関係付けられているローカルネットワーク上にあり、前記方法は、
前記アクセス端末に対する、前記ローカルネットワーク上のアドレスを、前記ローカルルータから取得することと、
前記アドレスを前記アクセス端末に送ることと
をさらに含む請求項１記載の方法。
【請求項１２】
前記アクセスポイントは、フェムトノードである請求項１記載の方法。
【請求項１３】
通信のための装置において、
アクセスポイントにおいて、パケットの宛先をインターネットプロトコルインターフェースにマッピングするリストを提供するように構成されているリストプロバイダと、
前記アクセスポイントからアクセス端末に前記リストを送るように構成されている送信機と
を具備する装置。
【請求項１４】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項１３記載の装置。
【請求項１５】
前記アクセス端末からパケットを受信し、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定するように構成されているパケットプロセッサをさらに具備する請求項１４記載の装置。
【請求項１６】
前記第１のインターネットプロトコルインターフェースに関係付けられている第１のパケットを前記アクセスポイントから受信し、
前記オペレータネットワークにより、前記第１のパケットを前記ネットワークノードに送り、
前記第２のインターネットプロトコルインターフェースに関係付けられている第２のパケットを前記アクセスポイントから受信し、
前記第２のパケットを、前記オペレータネットワークを通して送らずに、前記第２のパケットを前記ローカルノードに送るように構成されているパケットプロセッサをさらに具備する請求項１４記載の装置。
【請求項１７】
前記第１のパケットは、前記オペレータネットワークにおいて終端される第１のストリームにより受信され、
前記第２のパケットは、前記アクセスポイントにおいて終端される第２のストリームにより受信される請求項１６記載の装置。
【請求項１８】
前記アクセスポイントは、ローカルルータに関係付けられているローカルネットワーク上にあり、
前記ローカルノードは、前記ローカルネットワーク上にある請求項１４記載の装置。
【請求項１９】
前記アクセスポイントは、ローカルルータに関係付けられているローカルネットワーク上にあり、
前記ローカルノードは、前記ローカルルータのインターネット接続によりアクセス可能である請求項１４記載の装置。
【請求項２０】
通信のための装置において、
アクセスポイントにおいて、パケットの宛先をインターネットプロトコルインターフェースにマッピングするリストを提供する手段と、
前記アクセスポイントからアクセス端末に前記リストを送る手段と
を具備する装置。
【請求項２１】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項２０記載の装置。
【請求項２２】
前記アクセス端末からパケットを受信し、
前記受信したパケットが、前記第１のインターネットプロトコルインターフェースに関係付けられているか、または、前記第２のインターネットプロトコルインターフェースに関係付けられているかに基づいて、前記第１のパスにより、または、前記第２のパスにより前記パケットを送るかを決定する、パケット処理手段をさらに具備する請求項２１記載の装置。
【請求項２３】
前記第１のインターネットプロトコルインターフェースに関係付けられている第１のパケットを前記アクセスポイントから受信し、
前記オペレータネットワークにより、前記第１のパケットを前記ネットワークノードに送り、
前記第２のインターネットプロトコルインターフェースに関係付けられている第２のパケットを前記アクセスポイントから受信し、
前記第２のパケットを、前記オペレータネットワークを通して送らずに、前記第２のパケットを前記ローカルノードに送る、パケット処理手段をさらに具備する請求項２１記載の装置。
【請求項２４】
前記第１のパケットは、前記オペレータネットワークにおいて終端される第１のストリームにより受信され、
前記第２のパケットは、前記アクセスポイントにおいて終端される第２のストリームにより受信される請求項２３記載の装置。
【請求項２５】
前記アクセスポイントは、ローカルルータに関係付けられているローカルネットワーク上にあり、
前記ローカルノードは、前記ローカルネットワーク上にある請求項２１記載の装置。
【請求項２６】
前記アクセスポイントは、ローカルルータに関係付けられているローカルネットワーク上にあり、
前記ローカルノードは、前記ローカルルータのインターネット接続によりアクセス可能である請求項２１記載の装置。
【請求項２７】
コンピュータに、アクセスポイントにおいて、パケットの宛先をインターネットプロトコルインターフェースにマッピングするリストを提供させるコードと、
コンピュータに、前記アクセスポイントからアクセス端末に前記リストを送らせるコードと
を有するコンピュータ可読記憶媒体。
【請求項２８】
前記リスト中のパケットの宛先のうちの第１のパケットの宛先は、オペレータネットワークを通る第１のパスによりアクセス可能なネットワークノードを識別し、
前記リストは、前記リスト中で、前記ネットワークノードに関係付けられているアドレスを、第１のインターネットプロトコルインターフェースにマッピングし、
前記リスト中のパケットの宛先のうちの第２のパケットの宛先は、前記オペレータネットワークを通らない第２のパスによりアクセス可能なローカルノードを識別し、
前記リストは、前記リスト中で、前記ローカルノードに関係付けられているアドレスを、第２のＩＰインターフェースにさらにマッピングする請求項２７記載のコンピュータ可読記憶媒体。
【請求項２９】
通信の方法において、
アクセスポイントにおいて、第１のパケットと、第２のパケットとを、アクセス端末から受信し、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられていることと、
前記ローカルネットワークインターネットプロトコルアドレスに向けられたパケットを遮断することと、
前記アクセス端末に代わって、前記遮断したパケットを処理することと
を含む方法。
【請求項３０】
前記処理は、前記遮断したパケットを前記アクセス端末にルーティングすることを含む請求項２９記載の方法。
【請求項３１】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項２９記載の方法。
【請求項３２】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項２９記載の方法。
【請求項３３】
前記第２のパケットは、前記ローカルネットワーク上のノードに宛てられる請求項３２記載の方法。
【請求項３４】
前記第２のパケットは、前記ローカルネットワークに対するローカルルータのインターネット接続によりアクセス可能であるノードに宛てられる請求項３２記載の方法。
【請求項３５】
前記第１のパケットは、前記オペレータネットワークにおいて終端される第１のストリームにより送られ、
前記第２のパケットは、前記アクセスポイントにおいて終端される第２のストリームにより送られる請求項２９記載の方法。
【請求項３６】
前記アクセス端末に対するローカルネットワークインターネットプロトコルアドレスを取得する要求をローカルルータに送ることと、
前記ローカルネットワークインターネットプロトコルアドレスを前記アクセス端末に送ることと
をさらに含む請求項２９記載の方法。
【請求項３７】
前記アクセスポイントは、フェムトノードである請求項２９記載の方法。
【請求項３８】
通信のための装置において、
アクセスポイントにおいて、第１のパケットと、第２のパケットとを、アクセス端末から受信するように構成されているパケットプロセッサであって、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられているパケットプロセッサと、
前記ローカルネットワークインターネットプロトコルアドレスに向けられたパケットを遮断するように構成され、前記アクセス端末に代わって、前記遮断したパケットを処理するようにさらに構成されているローカルパケットプロキシと
を具備する装置。
【請求項３９】
前記処理は、前記遮断したパケットを前記アクセス端末にルーティングすることを含む請求項３８記載の装置。
【請求項４０】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ること
を含む請求項３８記載の装置。
【請求項４１】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項３８記載の装置。
【請求項４２】
前記第２のパケットは、前記ローカルネットワーク上のノードに宛てられる請求項４１記載の装置。
【請求項４３】
前記第２のパケットは、前記ローカルネットワークに対するローカルルータのインターネット接続によりアクセス可能であるノードに宛てられる請求項４１記載の装置。
【請求項４４】
前記第１のパケットは、前記オペレータネットワークにおいて終端される第１のストリームにより送られ、
前記第２のパケットは、前記アクセスポイントにおいて終端される第２のストリームにより送られる請求項３８記載の装置。
【請求項４５】
通信のための装置において、
アクセスポイントにおいて、第１のパケットと、第２のパケットとを、アクセス端末から受信する手段であって、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられている手段と、
前記ローカルネットワークインターネットプロトコルアドレスに向けられたパケットを遮断し、前記アクセス端末に代わって、前記遮断したパケットを処理するローカルパケットプロキシ手段と
を具備する装置。
【請求項４６】
前記処理は、前記遮断したパケットを前記アクセス端末にルーティングすることを含む請求項４５記載の装置。
【請求項４７】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項４５記載の装置。
【請求項４８】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項４５記載の装置。
【請求項４９】
前記第２のパケットは、前記ローカルネットワーク上のノードに宛てられる請求項４８記載の装置。
【請求項５０】
前記第２のパケットは、前記ローカルネットワークに対するローカルルータのインターネット接続によりアクセス可能であるノードに宛てられる請求項４８記載の装置。
【請求項５１】
前記第１のパケットは、前記オペレータネットワークにおいて終端される第１のストリームにより送られ、
前記第２のパケットは、前記アクセスポイントにおいて終端される第２のストリームにより送られる請求項４５記載の装置。
【請求項５２】
アクセスポイントにおいて、第１のパケットと、第２のパケットとを、アクセス端末から受信し、前記第１のパケットは、第１のインターネットプロトコルインターフェースに関係付けられており、前記第２のパケットは、第２のインターネットプロトコルインターフェースに関係付けられており、前記第２のインターネットプロトコルインターフェースは、ローカルネットワークに対して、前記アクセス端末に割り当てられているインターネットプロトコルアドレスに関係付けられていることと、
前記ローカルネットワークインターネットプロトコルアドレスに向けられたパケットを遮断することと、
前記アクセス端末に代わって、前記遮断したパケットを処理することと
をコンピュータに生じさせるためのコードを有するコンピュータ可読記憶媒体。
【請求項５３】
前記処理は、前記遮断したパケットを前記アクセス端末にルーティングすることを含む請求項５２記載のコンピュータ可読記憶媒体。
【請求項５４】
前記遮断したパケットは、前記ローカルネットワークインターネットプロトコルアドレスに向けられたアドレス解決プロトコルメッセージを含み、
前記処理は、前記アドレス解決プロトコルメッセージに応答して、前記アクセスポイントの媒体アクセス制御アドレスを含むメッセージを送ることを含む請求項５２記載のコンピュータ可読記憶媒体。
【請求項５５】
前記第１のインターネットプロトコルインターフェースは、オペレータネットワークを通る第１のパケットパスに関係付けられており、
前記第２のインターネットプロトコルインターフェースは、前記オペレータネットワークを通らない第２のパケットパスに関係付けられている請求項５２記載のコンピュータ可読記憶媒体。
【請求項５６】
通信の方法において、
アクセスポイントにおいて、アクセス端末からパケットを受信することと、
前記パケットの宛先に基づいて、前記アクセスポイントにおいて、前記パケットに対してネットワークアドレス変換を実行するかどうかを決定することと
を含む方法。
【請求項５７】
前記決定は、前記パケットの宛先アドレスと、オペレータネットワークに関係付けられているポリシーとを決定することを含む請求項５６記載の方法。
【請求項５８】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項５６記載の方法。
【請求項５９】
前記ネットワークアドレス変換は、オペレータネットワークに対して、前記アクセス端末に割り当てられているネットワークインターネットプロトコル発信元アドレスを、前記ローカルネットワークに対して、前記アクセス端末に割り当てられているローカルインターネットプロトコル発信元アドレスに置き換えることを含む請求項５８記載の方法。
【請求項６０】
前記アクセスポイントは、
前記ローカルネットワークに関係付けられているローカルルータから、前記ローカルインターネットプロトコル発信元アドレスを要求し、
前記アクセスポイントの媒体アクセス制御アドレスを含むメッセージにより、前記ローカルインターネットプロトコル発信元アドレスに向けられたアドレス解決プロトコルメッセージに応答する請求項５９記載の方法。
【請求項６１】
前記ローカルインターネットプロトコル発信元アドレスは、前記アクセスポイントのインターネットプロトコルアドレスと、前記アクセスポイントにより前記アクセス端末に割り当てられているポートとを含む請求項５９記載の方法。
【請求項６２】
前記パケットはプロトコルトンネルによりオペレータネットワークに送るべきでないことを前記アクセスポイントが決定した場合に、前記アクセスポイントは、前記ネットワークアドレス変換を実行する請求項５６記載の方法。
【請求項６３】
前記アクセスポイントは、ローカルネットワーク上にあり、
前記アクセスポイントは、前記宛先が前記ローカルネットワーク上にある場合に、前記ネットワークアドレス変換を実行する請求項５６記載の方法。
【請求項６４】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項５６記載の方法。
【請求項６５】
前記アクセスポイントは、フェムトノードである請求項５６記載の方法。
【請求項６６】
通信のための装置において、
アクセスポイントにおいて、アクセス端末からパケットを受信するように構成されているパケットプロセッサと、
前記パケットの宛先に基づいて、前記アクセスポイントにおいて、前記パケットに対してネットワークアドレス変換を実行するかどうかを決定するように構成されているネットワークアドレス変換制御装置と
を具備する装置。
【請求項６７】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項６６記載の装置。
【請求項６８】
前記ネットワークアドレス変換は、オペレータネットワークに対して、前記アクセス端末に割り当てられているネットワークインターネットプロトコル発信元アドレスを、前記ローカルネットワークに対して、前記アクセス端末に割り当てられているローカルインターネットプロトコル発信元アドレスに置き換えることを含む請求項６７記載の装置。
【請求項６９】
前記パケットはプロトコルトンネルによりオペレータネットワークに送るべきでないことを前記アクセスポイントが決定した場合に、前記アクセスポイントは、前記ネットワークアドレス変換を実行する請求項６６記載の装置。
【請求項７０】
前記アクセスポイントは、ローカルネットワーク上にあり、
前記アクセスポイントは、前記宛先が前記ローカルネットワーク上にある場合に、前記ネットワークアドレス変換を実行する請求項６６記載の装置。
【請求項７１】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項６６記載の装置。
【請求項７２】
通信のための装置において、
アクセスポイントにおいて、アクセス端末からパケットを受信する手段と、
前記パケットの宛先に基づいて、前記アクセスポイントにおいて、前記パケットに対してネットワークアドレス変換を実行するかどうかを決定する手段と
を具備する装置。
【請求項７３】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項７２記載の装置。
【請求項７４】
前記ネットワークアドレス変換は、オペレータネットワークに対して、前記アクセス端末に割り当てられているネットワークインターネットプロトコル発信元アドレスを、前記ローカルネットワークに対して、前記アクセス端末に割り当てられているローカルインターネットプロトコル発信元アドレスに置き換えることを含む請求項７３記載の装置。
【請求項７５】
前記パケットはプロトコルトンネルによりオペレータネットワークに送るべきでないことを前記アクセスポイントが決定した場合に、前記アクセスポイントは、前記ネットワークアドレス変換を実行する請求項７２記載の装置。
【請求項７６】
前記アクセスポイントは、ローカルネットワーク上にあり、
前記アクセスポイントは、前記宛先が前記ローカルネットワーク上にある場合に、前記ネットワークアドレス変換を実行する請求項７２記載の装置。
【請求項７７】
前記アクセスポイントは、ローカルルータに関係付けられているローカルネットワーク上にあり、
前記アクセスポイントは、前記宛先が前記ローカルルータのインターネット接続によりアクセス可能な場合に、前記ネットワークアドレス変換を実行する請求項７２記載の装置。
【請求項７８】
アクセスポイントにおいて、アクセス端末からパケットを受信することと、
前記パケットの宛先に基づいて、前記アクセスポイントにおいて、前記パケットに対してネットワークアドレス変換を実行するかどうかを決定することと
をコンピュータに生じさせるためのコードを有するコンピュータ可読記憶媒体。
【請求項７９】
前記決定は、前記宛先が、オペレータネットワークを通る第１のパスによりアクセスされるか、または、前記オペレータネットワークを通らない、ローカルネットワークを通る第２のパスによりアクセスされるかを決定することを含む請求項７８記載のコンピュータ可読記憶媒体。
【請求項８０】
前記ネットワークアドレス変換は、オペレータネットワークに対して、前記アクセス端末に割り当てられているネットワークインターネットプロトコル発信元アドレスを、前記ローカルネットワークに対して、前記アクセス端末割り当てられているローカルインターネットプロトコル発信元アドレスに置き換えることを含む請求項７８記載のコンピュータ可読記憶媒体。
【外国語明細書】
2014014116000001.pdf